(57)【要約】【課題】導電性ケーブル及び光ファイバケーブルの引き回しを簡素化してこれらケーブルの配線作業の作業性を向上できるとともに、導電性ケーブル及び光ファイバケーブルの管理を容易にしてこれらケーブルの管理コストを低減できる遊技機を提供すること。【解決手段】遊技機１は、一端部がスケーラ基板に他端部が雌コネクタ９３に一体で接続される光ファイバケーブル８１〜８４及び導電性ケーブル８５Ａ、８５Ｂ、８６Ａ、８６Ｂと、一端部がプロジェクタ制御基板に他端部が雄コネクタ９４に一体で接続される光ファイバケーブル８７〜９０及び導電性ケーブル９１Ａ、９１Ｂ、９２Ａ、９２Ｂとを備え、当該光ファイバケーブルをそれぞれ雌コネクタ９３及び雄コネクタ９４の幅方向内方に接続し、当該導電性ケーブルを当該光ファイバケーブルに対して幅方向外方に位置するようにして雌コネクタ９３及び雄コネクタ９４に接続する。【選択図】図１７
2019072539.tif 000002
【特許請求の範囲】
【請求項１】
遊技に関する制御を実行する制御部と、
画像の表示を行う表示部と、
一端部が前記制御部に接続され、他端部が第１の接続部材に接続される複数の導電性ケーブル及び光ファイバケーブルと、
一端部が前記表示部に接続され、他端部が第２の接続部材に接続される複数の導電性ケーブル及び光ファイバケーブルとを備え、
前記導電性ケーブルによって前記制御部と前記表示部とが電気的に接続され、前記光ファイバケーブルによって前記制御部と前記表示部とが光学的に接続される遊技機において、
前記光ファイバケーブルが、前記第１の接続部材及び前記第２の接続部材の幅方向内方に接続され、前記導電性ケーブルが、前記光ファイバケーブルに対して幅方向外方に位置するようにして前記第１の接続部材及び前記第２の接続部材に接続され、
前記第１の接続部材には、前記第２の接続部材と嵌合させる際の受け角を設けた第１ガイド面が形成され、
前記第２の接続部材には、前記第１の接続部材と嵌合させる際に前記第１の接続部材に向って突出する突出部の先端に第２ガイド面が形成され、
前記第１の接続部材と前記第２の接続部材が嵌合する場合、前記第１ガイド面が前記第２ガイド面にガイドされることを特徴とする遊技機。
【請求項２】
前記第２の接続部材には、前記第２ガイド面に隣接して複数の溝部が形成され、
前記第１の接続部材に取り付けられた複数の前記導電性ケーブルの先端に設けられた端子が複数の前記溝部に挿通することを特徴とする請求項１に記載の遊技機。
【発明の詳細な説明】
【技術分野】
【０００１】
本発明は、パチスロ機等の遊技機に関する。
【背景技術】
【０００２】
従来、パチスロ機等の遊技機においては、各種遊技状態の決定や、演出の実行を実現するために、遊技機の内部には、複数の制御デバイスが設けられており、これら制御デバイスは、導電性ケーブルによって接続されている。
【０００３】
ところで、制御デバイスを導電性ケーブルによって接続した場合には、外部から導電性ケーブルに不正な信号を加えることで不正行為が行われたり、導電性ケーブルが電磁ノイズにより悪影響を受けたり、導電性ケーブル自体が電磁ノイズの発生源になり他の導電性ケーブルに悪影響を与えることがある。
【０００４】
このような不具合を解消する遊技機としては、複数の制御デバイスのうちの一部を、独立した導電性ケーブルで接続し、他の制御デバイスを、電磁ノイズの影響を受けない独立した光ファイバケーブルで接続したものが知られている（例えば、特許文献１参照）。
【先行技術文献】
【特許文献】
【０００５】
【特許文献１】特開２０１３−３４６４２号公報
【発明の概要】
【発明が解決しようとする課題】
【０００６】
上述の特許文献１に記載の遊技機にあっては、複数の制御デバイスをそれぞれ独立した導電性ケーブルと光ファイバケーブルとによって接続しているので、遊技機の内部で配線の引き回しが煩雑化してしまい、導電性ケーブル及び光ファイバケーブルの配線作業の作業性が悪化してしまう。このため、導電性ケーブル及び光ファイバケーブルの配線作業の工数が増大してしまい、遊技機の生産性が低下する。
【０００７】
さらに、複数の制御デバイスに接続される導電性ケーブルと光ファイバケーブルとを別々に管理する必要があり、導電性ケーブル及び光ファイバケーブルの管理コストが増大してしまう。
【０００８】
本発明は、上述のような事情に鑑みてなされたもので、導電性ケーブル及び光ファイバケーブルの引き回しを簡素化して導電性ケーブル及び光ファイバケーブルの配線作業の作業性を向上できるとともに、導電性ケーブル及び光ファイバケーブルの管理を容易にして導電性ケーブル及び光ファイバケーブルの管理コストを低減できる遊技機を提供することを目的とする。
【課題を解決するための手段】
【０００９】
上記目的を達成するために、本発明に係る遊技機は、遊技に関する制御を実行する制御部（副制御基板ＳＳ，スケーラ基板ＳＫ）と、画像の表示を行う表示部（表示ユニットＡ）と、一端部が前記制御部に接続され、他端部が第１の接続部材（雌コネクタ９３）に接続される複数の導電性ケーブル（８５Ａ，８５Ｂ，８６Ａ，８６Ｂ）及び光ファイバケーブル（８１〜８４）と、一端部が前記表示部に接続され、他端部が第２の接続部材（雄コネクタ９４）に接続される複数の導電性ケーブル（９１Ａ，９１Ｂ，９２Ａ，９２Ｂ）及び光ファイバケーブル（８７〜９０）とを備え、前記導電性ケーブルによって前記制御部と前記表示部とが電気的に接続され、前記光ファイバケーブルによって前記制御部と前記表示部とが光学的に接続される遊技機において、前記光ファイバケーブルが、前記第１の接続部材及び前記第２の接続部材の幅方向内方に接続され、前記導電性ケーブルが、前記光ファイバケーブルに対して幅方向外方に位置するようにして前記第１の接続部材及び前記第２の接続部材に接続され、前記第１の接続部材には、前記第２の接続部材と嵌合させる際の受け角を設けた第１ガイド面（ガイド面９６Ｄ）が形成され、前記第２の接続部材には、前記第１の接続部材と嵌合させる際に前記第１の接続部材に向って突出する突出部の先端に第２ガイド面（ガイド面１０３Ｄ）が形成され、前記第１の接続部材と前記第２の接続部材が嵌合する場合、前記第１ガイド面が前記第２ガイド面にガイドされる。
【００１０】
この構成により、本発明に係る遊技機は、導電性ケーブルと電磁波の影響を受けない光ファイバケーブルとを纏めて第１の接続部材及び第２の接続部材に接続することで、導電性ケーブル及び光ファイバケーブルの引き回しを簡素化して、導電性ケーブル及び光ファイバケーブルの配線作業の作業性を向上できる。この結果、遊技機の生産性を向上できる。
【００１１】
また、性質の異なる導電性ケーブルと光ファイバケーブルとを纏めることで、導電性ケーブル及び光ファイバケーブルの取り扱いを容易にすることができ、導電性ケーブルと光ファイバケーブルとによって制御部と表示部とを接続する際に、人為的な接続不良が発生することを抑制することができる。
【００１２】
また、導電性ケーブルと光ファイバケーブルとを纏めることで、導電性ケーブル及び光ファイバケーブルの管理を容易にして、導電性ケーブル及び光ファイバケーブルの管理コストを低減することができる。
【００１３】
さらに、光ファイバケーブルを第１の接続部材及び第２の接続部材の幅方向内方に接続し、導電性ケーブルを光ファイバケーブルに対して幅方向外方に位置するようにして第１の接続部材及び第２の接続部材に接続することで、導電性ケーブルを、光ファイバケーブルを挟んで離れた位置に設置できる。これにより、離れた位置にある導電性ケーブル同士の電気的な干渉を抑えることができ、離れた位置にある導電性ケーブル同士がノイズの影響を受けることを抑制できる。
【００１４】
また、本発明の遊技機において、前記第２の接続部材には、前記第２ガイド面に隣接して複数の溝部（スリット１０３Ａ、１０３Ｂ）が形成され、前記第１の接続部材に取り付けられた複数の前記導電性ケーブルの先端に設けられた端子（８５ａ、８５ｂ、８６ａ、８６ｂ）が複数の前記溝部に挿通されていてもよい。
【発明の効果】
【００１５】
本発明によれば、導電性ケーブル及び光ファイバケーブルの引き回しを簡素化して導電性ケーブル及び光ファイバケーブルの配線作業の作業性を向上できるとともに、導電性ケーブル及び光ファイバケーブルの管理を容易にして導電性ケーブル及び光ファイバケーブルの管理コストを低減できる遊技機を提供することができる。
【図面の簡単な説明】
【００１６】
【図１】遊技機の正面斜視図である。
【図２】上ドア機構及び下ドア機構を開いた状態のときの、遊技機の正面図である。
【図３】遊技機の分解斜視図である。
【図４】表示ユニットの縦断面図である。
【図５】表示ユニットの後方斜視図である。
【図６】プロジェクタ装置の回路構成を示すブロック図である。
【図７】遊技機のシステム構成を示すブロック図である。
【図８】主制御基板の回路構成を示すブロック図である。
【図９】副制御基板の回路構成を示すブロック図である。
【図１０】リールドライブ基板の回路構成を示すブロック図である。
【図１１】ドア中継基板の回路構成を示すブロック図である。
【図１２】副中継基板の回路構成を示すブロック図である。
【図１３】スケーラ基板の回路構成を示すブロック図である。
【図１４】多出力スケーラＬＳＩの回路構成を示すブロック図である。
【図１５】サブ液晶Ｉ／Ｆ基板の回路構成を示すブロック図である。
【図１６】スケーラ基板、プロジェクタ制御基板及び配線を示すブロック図である。
【図１７】雌コネクタ、雄コネクタ、光ファイバケーブル及び導電性ケーブルの斜視図である。
【図１８】雌コネクタ、雄コネクタのそれぞれに光ファイバケーブル及び導電性ケーブルを接続した状態の斜視図である。
【図１９】雌コネクタ及び雄コネクタを接続した状態の斜視図である。
【図２０】雌コネクタを開口部側から見た斜視図である。
【図２１】雌コネクタを挿入孔側から見た図である。
【図２２】雌コネクタを開口部側から見た図である。
【図２３】雄コネクタを挿入孔側から見た図である。
【図２４】雄コネクタを突出部側から見た図である。
【図２５】光ファイバケーブルが挿通される挿通穴を縦方向に切った雌コネクタ及び雄コネクタと光ファイバケーブルとの分解図である。
【図２６】光ファイバケーブルが挿通される挿通穴を縦方向に切った雌コネクタ及び雄コネクタに光ファイバケーブルを接続した状態を示す図である。
【図２７】光ファイバケーブルが挿通される挿通穴を縦方向に切った雌コネクタ及び雄コネクタ同士を接続した状態を示す図である。
【図２８】光ファイバケーブルが接続されるコネクタを光ファイバ部側から見た図である。
【図２９】キャビネットに取付けられた雌コネクタの斜視図である。
【図３０】キャビネットに取付けられた雌コネクタを開口部側から見た図である。
【図３１】表示ユニットに取付けられた雄コネクタの斜視図である。
【図３２】図３１のＸＸＸII−ＸＸＸII方向矢視断面図である。
【発明を実施するための形態】
【００１７】
以下、図面を参照して、本発明の一実施形態について説明する。
【００１８】
図１〜図３に示すように、遊技機１は、いわゆるパチスロ機である。遊技機１は、コイン、メダル、遊技球又はトークン等の他、遊技者に付与された又は付与される、遊技価値の情報を記憶したカード等の遊技媒体を用いて遊技可能なものであるが、以下ではメダルを用いるものとして説明する。
【００１９】
なお、以後の説明において、遊技機１から遊技者に向かう側（方向）を遊技機１の前側と称し、前側とは逆側を後側と称し、遊技者から見て右側及び左側を遊技機１の右側（右方向）及び左側（左方向）とそれぞれ称する。また、前側及び後側を含む方向は、前後方向又と称し、右側及び左側を含む方向は、左右方向又は幅方向と称する。前後方向及び左右方向（幅方向）に直交する方向を上下方向と称する。
【００２０】
（遊技機の構成）
図１に示すように、遊技機１の外観は、矩形箱状の筐体２により構成されている。図２において、筐体２は、遊技機本体として前面側に矩形状の開口部Ｇ５を有する金属製のキャビネットＧと、キャビネットＧの前面上部に配置された上ドア機構ＵＤと、キャビネットＧの前面下部に配置された下ドア機構ＤＤとを有している。ここで、開口部Ｇ５は、本発明の本体を構成する。また、開口部Ｇ５は、キャビネットＧの前面側ではなく、後面側に設けられてもよく、前面及び後面の両方に設けられてもよい。
【００２１】
図１において、キャビネットＧの上面壁Ｇ４には、左右方向に関して所定間隔隔てて、上下方向に貫通する２つの開口Ｇ４１が形成されている。そして、この２つの開口Ｇ４１それぞれを塞ぐように木製の板部材Ｇ４２が上面壁Ｇ４に取付けられている。
【００２２】
図２に示すように、上ドア機構ＵＤ及び下ドア機構ＤＤは、キャビネットＧの開口部Ｇ５の形状及び大きさに対応するように形成されている。上ドア機構ＵＤ及び下ドア機構ＤＤは、キャビネットＧにおける開口部Ｇ５の上部及び下部を閉塞可能に設けられている。上ドア機構ＵＤは、図１において、上側表示窓ＵＤ１を中央部に有している。上側表示窓ＵＤ１には、光を透過する透明パネルＵＤ１１が設けられている。
【００２３】
下ドア機構ＤＤには、上部の略中央部に、矩形状の開口部として形成されたメイン表示窓ＤＤ４が設けられている。メイン表示窓ＤＤ４の裏面側には、図２に示すように、キャビネットＧの内部側から取付けられたリールユニットＲＵが装着されている。さらに、リールユニットＲＵの背面には、主制御基板ＭＳが取付けられている。
【００２４】
リールユニットＲＵは、複数種類の図柄が各々の外周面に描かれた３個のリールＲＬ（左リール）、ＲＣ（中リール）、ＲＲ（右リール）を主体に構成されている。これらのリールＲＬ、ＲＣ、ＲＲは、それぞれが縦方向に一定の速度で回転できるように並列状態（横一列）に配設される。リールＲＬ、ＲＣ、ＲＲは、メイン表示窓ＤＤ４を通じて、各リールＲＬ、ＲＣ、ＲＲの動作や各リールＲＬ、ＲＣ、ＲＲ上に描かれている図柄が視認可能となる。
【００２５】
図１において、メイン表示窓ＤＤ４には、その表面部に、矩形状のアクリル板等からなる透明パネルが取付け固定されており、遊技者等がリールユニットＲＵに触れることができないようになっている。メイン表示窓ＤＤ４の下方には、略水平面の第１、第２、第３台座部ＤＤ２ａ、ＤＤ２ｂ、ＤＤ２ｃが形成されている。メイン表示窓ＤＤ４の右側に位置する第１台座部ＤＤ２ａには、メダルを投入するためのメダル投入口ＤＤ５が設けられている。メダル投入口ＤＤ５は、遊技者によりメダルが投入される開口である。メダル投入口ＤＤ５から投入されたメダルは、クレジットされるか又はゲームに賭けられる。
【００２６】
メイン表示窓ＤＤ４の左側に位置する第２台座部ＤＤ２ｂには、クレジットされているメダルを賭けるための、有効ライン設定手段としての最大ＢＥＴボタンＤＤ８（ＭＡＸＢＥＴボタンともいう）が設けられている。最大ＢＥＴボタンＤＤ８が押されると、メダルの投入枚数として「３」が選択される。
【００２７】
メイン表示窓ＤＤ４の前面側に位置する第３台座部ＤＤ２ｃには、サブ表示装置ＤＤ２０が設けられている。サブ表示装置ＤＤ２０は、例えば入賞成立時のメダルの払出枚数やクレジットされている残メダル枚数を表示する。遊技機１にクレジットされるメダルの最大枚数は、通常５０枚であるため、サブ表示装置ＤＤ２０には、５０以下のクレジット枚数が表示される。なお、最大枚数となる５０枚のメダルがクレジシットされている状態では、投入されたメダルがそのままメダル払出口ＤＤ１４より払出される。
【００２８】
最大ＢＥＴボタンＤＤ８の前面側には、遊技者の操作によりリールＲＬ、ＲＣ、ＲＲを回転駆動させるとともに、メイン表示窓ＤＤ４内で図柄の変動表示を開始させるスタートレバーＤＤ６が設けられている。スタートレバーＤＤ６は、所定の角度範囲で傾動自在に取付けられる。
【００２９】
スタートレバーＤＤ６の右側で、サブ表示装置ＤＤ２０の前面側には、遊技者の押下操作（停止操作）により３個のリールＲＬ、ＲＣ、ＲＲの回転をそれぞれ停止させるための３個のストップボタンＤＤ７Ｌ、ＤＤ７Ｃ、ＤＤ７Ｒが設けられている。
【００３０】
最大ＢＥＴボタンＤＤ８の左側には、Ｃ／ＰボタンＤＤ１３が設けられている。Ｃ／ＰボタンＤＤ１３は、遊技者がゲームで獲得したメダルのクレジット／払出しを押しボタン操作で切り換えるものである。このＣ／ＰボタンＤＤ１３の切り換えにより払出しが選択されている状態（非クレジット状態）においては、下ドア機構ＤＤの下部側のコインガードプレート部に設けたメダル払出口ＤＤ１４（キャンセルシュート）からメダルが払出され、払出されたメダルは、メダル受け部ＤＤ１５に溜められる。
【００３１】
スタートレバーＤＤ６、及び、ストップボタンＤＤ７Ｌ、ＤＤ７Ｃ、ＤＤ７Ｒの下部側には、腰部パネルＤＤ１８（腰部導光板）が配置されている。腰部パネルＤＤ１８は、アクリル板等を使用した化粧用パネルとして構成される。腰部パネルＤＤ１８には、遊技機１の機種を表す名称や種々の模様等が印刷により描かれている。
【００３２】
また、メダル払出口ＤＤ１４の左側にはスピーカＤＤ２５Ｌが、右側にはスピーカＤＤ２５Ｒが、それぞれ設けられている。スピーカＤＤ２５Ｌ、ＤＤ２５Ｒは、遊技者に遊技に関する種々の情報を声や音楽等の音により報知する。また、メイン表示窓ＤＤ４の右側には、サブ液晶表示装置ＤＤ１９が配置されている。サブ液晶表示装置ＤＤ１９は、液晶表示パネル（液晶パネル）のパネル面にタッチ式の位置入力装置としてのタッチセンサパネルが配されてなる、いわゆるタッチパネルＤＤ１９Ｔとなっている。
【００３３】
なお、タッチセンサパネルとしては、例えば、人体の一部（指先等）や静電ペン等の接触を検知して、その検知信号を出力する静電容量方式のものであってもよく、又は、ペン先等の堅い物質の接触を検知して、その検知信号を出力する方式のもの、あるいは、その他の方式のものや構造のもの（インセル構造等）であってもよい。本実施形態においては、サブ液晶表示装置ＤＤ１９及びタッチパネルＤＤ１９Ｔを用いて後述するプロジェクタ装置Ｂ２の光学調整を行うことができるようになっている。
【００３４】
サブ液晶表示装置ＤＤ１９は、ＳＵＩ（スマート・ユーザ・インターフェース）として機能するもので、その表示画面上に、例えば、遊技の進行に伴って遊技回数等の遊技情報が表示されるとともに、遊技者による選択又は入力を求めるためのメッセージや入力キー等が表示される。
【００３５】
なお、サブ液晶表示装置ＤＤ１９においては、その表示画面上に、例えば、遊技の進行に伴って、遊技に関する演出に応じた内容（演出情報）を表示することも可能である。また、サブ液晶表示装置ＤＤ１９としては、例えば、演出役物としての機能を有するアタッチメントや、専用のアタッチメントとして、ジョグダイヤル又はプッシュボタン等を装着できるようにしてもよい。
【００３６】
また、サブ液晶表示装置ＤＤ１９は、その機能を、後述する表示ユニットＡ等に振り分けることにより、省略することもできる。また、メイン表示窓ＤＤ４の左側には、サブ液晶表示装置ＤＤ１９とは別のサブ液晶表示装置を配置するようにしてもよい。このような別のサブ液晶表示装置としては、その裏側にフルカラーＬＥＤが複数個実装されたＬＥＤ基板を設け、演出を行うことが可能に透過性を有して装飾が施されたパネルにより表示面を形成するようにしてもよい。
【００３７】
図２、図３に示すように、キャビネットＧ内は、中間支持板Ｇ１により上部空間と下部空間とに仕切られている。すなわち、中間支持板Ｇ１は、キャビネットＧ内を上部空間と下部空間とに仕切る仕切板として機能している。上部空間は、キャビネットＧ内の上ドア機構ＵＤの後側となる空間であり、表示ユニットＡ等が収容される。また、下部空間は、キャビネットＧ内の下ドア機構ＤＤの後側となる空間であり、リールユニットＲＵや、遊技機１全体の動作を司る主制御基板ＭＳ等が収容される。
【００３８】
（表示ユニットＡ）
図３に示すように、表示ユニットＡは、キャビネットＧの開口部Ｇ５を通してキャビネットＧ内の中間支持板Ｇ１上に着脱可能（交換可能）に載置される。なお、開口部Ｇ５は、本発明の本体の開口部に相当する。表示ユニットＡは、映像表示用の照射光を出射する照射ユニットＢと、照射ユニットＢからの照射光が照射されることにより映像を出現させるスクリーン装置Ｃとを有したいわゆるプロジェクションマッピング装置である。ここで、本実施形態の表示ユニットＡは、本発明の表示部を構成する。
【００３９】
ここで、プロジェクションマッピング装置は、構造物や自然物等の立体物の表面に映像を投影するためのものであって、例えば、後述のスクリーンである役物に対して、その位置（投影距離や角度等）や形状に基づいて生成される、演出情報に応じた映像を投影することにより、高度で、かつ迫力のある演出を可能とする。
【００４０】
表示ユニットＡは、前方に開口が形成された筐体Ａ１を有する。この筐体Ａ１は、照射ユニットＢの上部を形成するプロジェクタカバーＢ１、及び、スクリーン装置Ｃのスクリーン筐体Ｃ１０とで構成されている。スクリーン筐体Ｃ１０は、底板Ｃ１、右側板Ｃ２、左側板Ｃ３、及び背板Ｃ４を有した箱方形状をなしている。プロジェクタカバーＢ１は、スクリーン筐体Ｃ１０の上面に交換可能に取付けられる。
【００４１】
図４に示すように、照射ユニットＢは、照射光を前方に出射するプロジェクタ装置Ｂ２と、プロジェクタ装置Ｂ２の前方に配置され、プロジェクタ装置Ｂ２からの照射光を斜め下後方に配置されたスクリーン装置Ｃの方向に反射するミラー機構Ｂ３と、プロジェクタ装置Ｂ２及びミラー機構Ｂ３を収容したプロジェクタカバーＢ１とを有している。
【００４２】
プロジェクタ装置Ｂ２は、ケースＢ２２によって外装されつつプロジェクタカバーＢ１に取付けられ、キャビネットＧ内の後部に配置されている。ケースＢ２２には図示しない投射レンズや複数のＬＥＤ光源が位置する。投射レンズは、複数のＬＥＤ光源から出射してＤＭＤ（Ｄｉｇｉｔａｌ Ｍｉｃｒｏｍｉｒｒｏｒ Ｄｅｖｉｃｅ）で反射した照射光を、レンズ等を介して前方のミラー機構Ｂ３に向けて出射するように配置されている。
【００４３】
プロジェクタ装置Ｂ２の前方（照射光の出射方向）には、ミラー機構Ｂ３が配置されている。ミラー機構Ｂ３は、ミラーホルダＢ３１により光学ミラーＢ３２を保持している。このミラー機構Ｂ３は、プロジェクタカバーＢ１におけるリフレクタ保持部Ｂ１１の内側面に設けられている。リフレクタ保持部Ｂ１１は、プロジェクタカバーＢ１の前面中央部に形成されており、上ドア機構ＵＤを開いたときに前側に露出するように配置されている。なお、ミラー機構Ｂ３は、リフレクタ保持部Ｂ１１に対してその間隔が調整可能に取付けられている。これにより、プロジェクタ装置Ｂ２から出射した照射光の進行方向に対する光学ミラーＢ３２の反射角度を微調整することができる。
【００４４】
プロジェクタ装置Ｂ２及びミラー機構Ｂ３は、プロジェクタカバーＢ１に収容されている。なお、プロジェクタ装置Ｂ２の下面Ｂ２ａは、その前部に、後方から前方に向けて上方に傾斜する傾斜面Ｂ２ａ１を有している。プロジェクタカバーＢ１は、水平配置された上壁部Ｂ１２と、上壁部Ｂ１２の前側に配置されたリフレクタ保持部Ｂ１１と、上壁部Ｂ１２の左右方向において左右対称に配置された側壁部Ｂ１３、Ｂ１３（図３、図５参照）とを有している。上壁部Ｂ１２は、前部がキャビネットＧよりも前方に突出するように構成されている。上壁部Ｂ１２の前部の中央部には、リフレクタ保持部Ｂ１１が前方に突出した形態に形成されており、突出により形成された空間部に上述のミラー機構Ｂ３が角度調整可能に保持されている。
【００４５】
図５において、側壁部Ｂ１３、Ｂ１３は、下端部から左右水平方向に突出した突出部Ｂ１３１を有している。突出部Ｂ１３１は、前部側の第１突出部Ｂ１３１ａと、後部側の第２突出部Ｂ１３１ｂとを有している。第１突出部Ｂ１３１ａは、プロジェクタカバーＢ１がキャビネットＧに装着されたときに、キャビネットＧの開口部Ｇ５に対応するように位置する。
【００４６】
スクリーン筐体Ｃ１０の内部には、照射ユニットＢからの照射光の照射により映像を出現させる複数のスクリーン機構が照射対象を切り替え可能に設けられている。具体的には、図４に示すように、複数のスクリーン機構としては、固定スクリーン機構Ｄ、フロントスクリーン機構Ｅ１、及びリールスクリーン機構Ｆ１が設けられている。固定スクリーン機構Ｄの投影面、フロントスクリーン機構Ｅ１の投影面Ｅ１１ａ及びリールスクリーン機構Ｆ１の投影面Ｆ１ａは、映像表現を多様化するために、互いに異なる形状をなしている。また、フロントスクリーン機構Ｅ１及びリールスクリーン機構Ｆ１は、プロジェクタ装置Ｂ２やミラー機構Ｂ３に対して相対的に位置が変位する可動式のスクリーンであり、それぞれ、フロントスクリーン駆動機構Ｅ２及びリールスクリーン駆動機構Ｆ２（図７参照）により駆動される。
【００４７】
図３において、底板Ｃ１の前部Ｃ１４は、下方に曲折することによって、先端部が底板Ｃ１の下面よりも下方に位置されている。前部Ｃ１４は、表示ユニットＡがキャビネットＧの中間支持板Ｇ１に載置されながら組み込まれる際に、中間支持板Ｇ１の前面に当接することによって、キャビネットＧ内の後方への位置決めを行うことを可能にしている。そして、表示ユニットＡは、前部Ｃ１４に形成された貫通穴を介してキャビネットＧの前面にネジ締結されることによって、キャビネットＧの前面側からの表示ユニットＡの組み込み作業及び据え付け作業を行うことが可能になっている。
【００４８】
図５に示すように、スクリーン筐体Ｃ１０の背板Ｃ４は、平板状に形成されており、その背面の下部には、スクリーン駆動制御基板ＣＳを位置決め配置するための凹部ＣＯが形成されている。スクリーン駆動制御基板ＣＳは、フロントスクリーン駆動機構Ｅ２及びリールスクリーン駆動機構Ｆ２との間で信号等をやり取りする。
【００４９】
図４において、固定スクリーン機構Ｄは、照射光の照射方向に存在する固定露出位置に固定状態で設けられている。フロントスクリーン機構Ｅ１は、フロント露出位置とフロント待機位置との間を回動可能に設けられている。固定露出位置とフロント露出位置との位置関係は、フロント露出位置が照射光の照射方向であって且つ固定露出位置よりも前方に存在するように設定されている。
【００５０】
これにより、フロントスクリーン機構Ｅ１がフロント露出位置に移動した場合は、フロントスクリーン機構Ｅ１が固定スクリーン機構Ｄを前方から覆い隠した状態にすることによって、照射光による映像をフロントスクリーン機構Ｅ１だけに出現可能にしている。フロントスクリーン機構Ｅ１がフロント待機位置に移動した場合は、固定スクリーン機構Ｄを露出させることによって、照射光による映像を固定スクリーン機構Ｄに出現可能にしている。つまり、フロントスクリーン機構Ｅ１がフロント露出位置に配置されると、フロントスクリーン機構Ｅ１がプロジェクタ装置Ｂ２の投影対象となる。これに対して、フロントスクリーン機構Ｅ１がフロント待機位置に配置されると、固定スクリーン機構Ｄがプロジェクタ装置Ｂ２の投影対象となる。
【００５１】
リールスクリーン機構Ｆ１は、リール露出位置とリール待機位置との間を回動可能に設けられている。リール露出位置と固定露出位置との位置関係は、リール露出位置が照射光の照射方向であって且つ固定露出位置よりも前方に存在するように設定されている。これにより、リールスクリーン機構Ｆ１がリール露出位置に移動した場合は、リールスクリーン機構Ｆ１が固定スクリーン機構Ｄを前方から覆い隠した状態にすることによって、照射光による映像をリールスクリーン機構Ｆ１だけに出現可能にしている。
【００５２】
リールスクリーン機構Ｆ１がリール待機位置に移動した場合は、固定スクリーン機構Ｄを露出させることによって、照射光による映像を固定スクリーン機構Ｄに出現可能にしている。つまり、リールスクリーン機構Ｆ１がリール露出位置に配置されると、リールスクリーン機構Ｆ１がプロジェクタ装置Ｂ２の投影対象となる。これに対して、リールスクリーン機構Ｆ１がフロント待機位置に配置されると、固定スクリーン機構Ｄがプロジェクタ装置Ｂ２の投影対象となる。
【００５３】
リールスクリーン機構Ｆ１は、湾曲形状の平板からなる。リールスクリーン機構Ｆ１は、回動方向に近似した形状に湾曲された、側面視円弧状の形状をなしている。リールスクリーン機構Ｆ１の表面は、周縁部に模様が形成されているとともに、周縁部の内周領域が投影面Ｆ１ａとされている。この投影面Ｆ１ａは、リールスクリーン機構Ｆ１がリール露出位置に配置されたときに、プロジェクタ装置Ｂ２からの光の照射方向上流側に凸となる円弧面である。また、リールスクリーン機構Ｆ１における、回動中心側である裏面には、模様が形成されている。この裏面の模様は、リールスクリーン機構Ｆ１がリール待機位置に位置されたときに、前方の遊技者から目視可能にされている。
【００５４】
リールスクリーン機構Ｆ１は、リールスクリーン駆動機構Ｆ２の駆動力により、リール待機位置とリール露出位置との間で回動可能にされている。そして、リールスクリーン機構Ｆ１がリール露出位置に位置されたときに、その投影面Ｆ１ａは、照射光の照射により映像を出現可能になっている。
【００５５】
（表示ユニットＡの電気的及び光学的構成）
図６に示すように、プロジェクタ装置Ｂ２は、電気的な構成要素として、プロジェクタ制御基板Ｂ２３、光学機構Ｂ２４を備えている。プロジェクタ装置Ｂ２には、キャビネットＧに設けられたスケーラ基板ＳＫを介してキャビネットＧに設けられた副制御基板ＳＳが接続される（図７及び図１３参照）。副制御基板ＳＳは、スクリーンや役物の演出動作に応じて、プロジェクタ制御基板Ｂ２３を制御し、光学機構Ｂ２４を介して、スクリーンや役物に照射光を投影することにより、視覚的な演出として映像を表示する。
【００５６】
プロジェクタ制御基板Ｂ２３は、制御ＬＳＩ２３０、ＥＥＰＲＯＭ（登録商標）２３１、ＤＬＰ（登録商標）制御回路２３２、ＬＥＤ（Ｌｉｇｈｔ Ｅｍｉｔｔｉｎｇ Ｄｉｏｄｅ）ドライバ２３３、Ｖ−ｂｙ−ｏｎｅ（登録商標）ＨＳレシーバ２３４、受光回路（図中、「ＯＰＴ１」と記す）２３５及び受発光回路（図中、「ＯＰＴ２」と記す）２３６を備える。光学機構Ｂ２４は、Ｒ（赤）、Ｇ（緑）、Ｂ（青）の各色光を発するＬＥＤ光源、ＤＭＤ（Ｄｉｇｉｔａｌ Ｍｉｃｒｏｍｉｒｒｏｒ Ｄｅｖｉｃｅ）、投射レンズについてフォーカス調整を行うためのフォーカス機構等を備える。
【００５７】
制御ＬＳＩ２３０は、スケーラ基板ＳＫを経由した副制御基板ＳＳの指令に基づいて、照射光を投影するようにＤＬＰ制御回路２３２を制御する。制御ＬＳＩ２３０は、スケーラ基板ＳＫを経由した副制御基板ＳＳの指令に基づいて、フォーカス機構を制御して投射レンズを光軸方向に移動させることにより、照射光の投影に際してフォーカス調整を行う。ＥＥＰＲＯＭ２３１には、制御ＬＳＩ２３０によるプロジェクタ装置Ｂ２の設定・調整に関わるデータが記憶されている。なお、特に図示しないが、制御ＬＳＩ２３０には、制御プログラム等が格納されたＲＯＭ、プロジェクタ装置Ｂ２の設定・調整等に関わる作業領域に使用されるＤＲＡＭが内蔵されている。
【００５８】
受光回路２３５は、フォトダイオードなどのように光信号を電気信号に変換する光電変換素子を含んで構成される。受光回路２３５は、スケーラ基板ＳＫによって一対の光ファイバケーブル７１、７２（図１６参照）を介して光信号として送信された画像信号をＶ−ｂｙ−ｏｎｅ ＨＳ方式の電気信号に変換する。Ｖ−ｂｙ−ｏｎｅＨＳレシーバ２３４は、受光回路２３５によってＶ−ｂｙ−ｏｎｅ ＨＳ方式で送信された画像信号を受信し、ＬＶＤＳ（Ｌｏｗ Ｖｏｌｔａｇｅ Ｄｉｆｆｅｒｅｎｔｉａｌ Ｓｉｇｎａｌｉｎｇ）信号に変換してＤＬＰ制御回路２３２に送信する。なお、本実施形態では、画像信号をＶ−ｂｙ−ｏｎｅ ＨＳ形式で光信号として送信しているが、これに限らず、差動シリアルインターフェースであれば、ＤｉｓｐｌａｙＰｏｒｔ、ｉＤＰ（Ｉｎｔｅｒｎａｌ  ＤｉｓｐｌａｙＰｏｒｔ）、ｅＤＰ（Ｅｍｂｅｄｄｅｄ  Ｄｉｓｐｌａｙ  Ｐｏｒｔ）、ＣＬＯＣＫＫＥＳＳ  ＬＩＮＫ、ＦＰＤ（Ｆｌａｔ  Ｐａｎｅｌ  Ｄｉｓｐｌａｙ）−ＬｉｎｋII、ＡｄｖａｎｃｅｄＰＰｍｌ（Ｐｏｉｎｔ  ｔｏ  Ｐｏｉｎｔ  ｍｉｎｉ−ＬＶＤＳ）等を採用してもよい。
【００５９】
受発光回路２３６は、ＬＥＤなどのように電気信号を光信号に変換する光電変換素子と、フォトダイオードなどのように光信号を電気信号に変換する光電変換素子とを含んで構成される。受発光回路２３６は、スケーラ基板ＳＫと制御ＬＳＩ２３０との間で送受信される制御信号の光電変換を行う。詳細には、受発光回路２３６は、スケーラ基板ＳＫから制御ＬＳＩ２３０に光ファイバケーブル７３（図１６参照）を介して送信された下りの制御信号を光信号から電気信号に変換する。また、受発光回路２３６は、制御ＬＳＩ２３０からスケーラ基板ＳＫに光ファイバケーブル７４（図１６参照）を介して送信する上りの制御信号を電気信号から光信号に変換する。上り及び下りの制御信号は、ＵＡＲＴによるシリアル通信で構成されている。なお、本実施形態では、発光素子にＬＥＤを使用しているが、これに限らず、半導体レーザを使用してもよい。
【００６０】
プロジェクタ装置Ｂ２のＤＬＰシステムは、主として、ＤＬＰ制御回路２３２、ＬＥＤドライバ２３３、並びに光学機構Ｂ２４のＬＥＤ光源及びＤＭＤにより構成される。光学機構Ｂ２４のＬＥＤ光源及びＤＭＤの近傍には、例えばサーミスタからなる温度センサＢ２５が設けられている。
【００６１】
ＤＭＤは、半導体チップの主面上に、表示解像度に応じたピクセル相当のミラーを集積したものである。ＤＭＤは、各ミラーの直下にあるメモリー素子の静電界作用により、主面に対して各ミラーが対角線に沿う軸周りに＋１０°又は−１０°傾くように構成されたものである。このような構成により、ＤＭＤの各ミラーは、ＯＮ状態（所定方向に光を反射する状態）とＯＦＦ状態（所定方向外に光を反射する状態）とに切り換えられる。
【００６２】
すなわち、ＤＭＤの各ミラーは、ＯＮ状態のとき、ＬＥＤ光源から図示しないダイクロイックミラー等を介して入射した光を、再びダイクロイックミラー等を介して投射レンズへと導く一方、ＯＦＦ状態のとき、ＬＥＤ光源からダイクロイックミラー等を介して入射した光を投射レンズ以外の方向に向けて反射する。
【００６３】
ＤＬＰ制御回路２３２は、ＬＥＤ光源を駆動するＬＥＤドライバ２３３を制御し、ＬＥＤ光源からのＲＧＢ各色の光を図示しないダイクロイックミラー等を介して時分割方式でＤＭＤに入射させる。このとき、ＤＬＰ制御回路２３２は、投影する映像に応じて、どのタイミングでどのピクセルに対応したミラーをＯＮ状態又はＯＦＦ状態とするか、すなわち、ＲＧＢ各色の光のうちどの色の光をどのタイミングで所定方向に反射させるかを判定し、ＤＭＤの各ミラーのＯＮ・ＯＦＦ状態を制御する。
【００６４】
このようなＤＬＰ制御回路２３２の制御により、ＤＭＤで所定方向に反射した光は、投射レンズへと進み、投射レンズを透過することでミラー機構Ｂ３に入射し、最終的にミラー機構Ｂ３で反射することによって投影対象へと導かれる。これにより、投影対象となるスクリーンや役物に対して照射光が投影され、演出に応じた映像が形成される。
【００６５】
本実施形態において、プロジェクタ装置Ｂ２は、いわゆるＤＬＰプロジェクタとして構成される。また、プロジェクタ装置Ｂ２は、ミラー機構Ｂ３によって照射光を折り返すことにより投影対象までの投影距離を稼ぐとともに、例えばコントラスト比を１０００：１とすることによって、照射光の投影距離をできるだけ短くするようにしている。これにより、プロジェクタ装置Ｂ２を備えた表示ユニットＡは、より安価かつ小型に構成されるとともに、遊技機１のキャビネットＧにおける限られたスペースに対して容易に搭載される。
【００６６】
（遊技機１のシステム構成）
図７に示すように、遊技機１は、システムに含まれる主な基板として、主制御基板ＭＳ、副制御基板ＳＳ、リールドライブ基板ＲＤ、ドア中継基板ＤＳ、副中継基板ＳＮ、スケーラ基板ＳＫ、プロジェクタ制御基板Ｂ２３、サブ液晶Ｉ／Ｆ基板ＳＬ、スクリーン駆動制御基板ＣＳを備える。
【００６７】
これら主制御基板ＭＳや副制御基板ＳＳ等の各基板には、電源装置ＤＥの電源基板ＤＥ１から電源スイッチＤＥ２がオンの場合に電力が供給される。図１６において、特に、プロジェクタ制御基板Ｂ２３には、電源基板ＤＥ１から副中継基板ＳＮ（図７参照）を経由してスケーラ基板ＳＫに供給された直流＋１２Ｖの電力が導電性ケーブル７５Ａ及び導電性ケーブル７５Ｂを介して供給される。
【００６８】
また、スケーラ基板ＳＫのグランド層（又はグランドパターン）は、副中継基板ＳＮを経由して電源基板ＤＥ１の直流＋１２Ｖのグランド層（又はグランドパターン）に接続されており、プロジェクタ制御基板Ｂ２３のグランド層（又はグランドパターン）は、導電性ケーブル７６Ａ及び導電性ケーブル７６Ｂを介してスケーラ基板ＳＫのグランド層（又はグランドパターン）に接続されることにより、電源基板ＤＥ１の直流＋１２Ｖのグランド層（又はグランドパターン）に導通される。
【００６９】
遊技機１は、システムに含まれる先述したもののほか既知の構成要素として、デジタル表示用の７セグ表示器３０、外部表示器等を接続するための外部集中端子板３１、グラフィック基板４０、サブＲＡＭ基板４１、サブＲＯＭ基板４２、メダル識別用のセレクタ５０、ドア開閉監視スイッチ５１、ＢＥＴスイッチ５２、精算スイッチ５３、スタートスイッチ５４、ストップスイッチ基板５５、設定用鍵型スイッチ５６、ＬＥＤ基板６０、演出や装飾用のＬＥＤ群６１、演出用のスピーカ群６２、２４ｈドア監視ユニット６３、ドア監視スイッチ６４を備える。これら既知の構成要素については、説明を省略する。
【００７０】
各基板等の接続には、一般的なハーネスと光ファイバケーブルとが用いられる。例えば、主制御基板ＭＳは、リールドライブ基板ＲＤ及び７セグ表示器３０の夫々へと一方向に制御信号を出力するように、これらの基板等とハーネスＨを介して接続される。リールドライブ基板ＲＤは、ドア中継基板ＤＳへと光学的に一方向に各種の信号を伝えるように、このドア中継基板ＤＳと第１光ファイバケーブルＦＣ１を介して接続される。ドア中継基板ＤＳは、主制御基板ＭＳへと光学的に一方向に各種の信号を伝えるように、この主制御基板ＭＳと第２光ファイバケーブルＦＣ２を介して接続される。
【００７１】
これにより、主制御基板ＭＳ、リールドライブ基板ＲＤ、及びドア中継基板ＤＳは、単に一方向にコマンド等を伝送するように、ハーネスＨ及び光ファイバケーブルＦＣ１、ＦＣ２を通じてループ接続されている。副中継基板ＳＮは、主制御基板ＭＳの後述するセキュリティＩＣ３０６に光ファイバケーブル（不図示）を介して接続され、外部集中端子板３１は、主制御基板ＭＳの後述するセキュリティＩＣ３０７に光ファイバケーブル（不図示）を介して接続されている。主制御基板ＭＳのセキュリティＩＣ３０６及び３０７は、例えば平文の送信コマンドをＡＥＳ方式で暗号化することにより通信データを秘匿化する。
【００７２】
主制御基板ＭＳは、遊技機１の主たる遊技動作を制御するための基板である。図８に示すように、主制御基板ＭＳは、メインＣＰＵ３００、メインＲＡＭ３０１、メインＲＯＭ３０２、クロックパルス発生回路３０３、分周器３０４、マスタとなるＩ／Ｏ通信ＬＳＩ３０５、セキュリティＩＣ３０６、３０７を有する。例えば、メインＣＰＵ３００は、リールの回転動作やメダル払出動作を制御するためのコマンドを、Ｉ／Ｏ通信ＬＳＩ３０５を通じてリールドライブ基板ＲＤへと送信する。また、メインＣＰＵ３００は、ドア中継基板ＤＳに接続された各種スイッチ等（５０〜５６）からの信号を、Ｉ／Ｏ通信ＬＳＩ３０５を通じて光学的に受信し、これらの信号に基づいて所定の処理を行う。
【００７３】
副制御基板ＳＳは、主として遊技機１の遊技に伴う演出を制御するための基板である。副制御基板ＳＳは、副中継基板ＳＮとコネクタ（ＢｔｏＢ：基板対基板用）を介して接続され、副中継基板ＳＮとスケーラ基板ＳＫとは、ハーネスＨを介して接続されており、基本的にこれらと双方向に各種の信号をやり取りする。
【００７４】
図９に示すように、副制御基板ＳＳは、サブＣＰＵ４００、バックアップ機能を有するＳＲＡＭ（Ｓｔａｔｉｃ Ｒａｎｄｏｍ Ａｃｃｅｓｓ Ｍｅｍｏｒｙ）４０１、日時の計時回路であるリアルタイムクロック（ＲＴＣ：Ｒｅａｌ Ｔｉｍｅ Ｃｌｏｃｋ）４０２を有し、交換可能な拡張カードとして、グラフィック基板４０、サブＲＡＭ基板４１、サブＲＯＭ基板４２をバス接続により実装している。グラフィック基板４０は、ＧＰＵ（Ｇｒａｐｈｉｃｓ Ｐｒｏｃｅｓｓｉｎｇ Ｕｎｉｔ）４４０及びＶＲＡＭ（ビデオメモリ）４４１を有する。
【００７５】
例えば、サブＣＰＵ４００は、投影面Ｅ１１ａ、Ｆ１ａを変位させるための信号を、副中継基板ＳＮ及びスクリーン駆動制御基板ＣＳを通じてフロントスクリーン駆動機構Ｅ２やリールスクリーン駆動機構Ｆ２へと送信する（図１２参照）。また、サブＣＰＵ４００は、プロジェクタ装置Ｂ２やサブ液晶表示装置ＤＤ１９等に映像を表示させるための画像信号を、スケーラ基板ＳＫを通じてプロジェクタ制御基板Ｂ２３やサブ液晶Ｉ／Ｆ基板ＳＬへと送信する（図１３参照）。
【００７６】
リールドライブ基板ＲＤは、リールユニットＲＵにおけるリールＲＬ、ＲＣ、ＲＲの回転動作を制御するとともに、ホッパ機構ＨＰによるメダル払出動作を制御するための基板である。図１０に示すように、リールドライブ基板ＲＤは、主制御基板ＭＳのマスタとなるＩ／Ｏ通信ＬＳＩ３０５に対してスレーブとなるＩ／Ｏ通信ＬＳＩ３１０、リールモータドライバ３１１、ホッパモータドライバ３１２を有する。
【００７７】
例えば、Ｉ／Ｏ通信ＬＳＩ３０５は、ホッパ機構ＨＰからの払出信号、ホッパ機構ＨＰへのメダル投下を検出するメダル補給機構スイッチＭＨＳからの検出信号、リールの回転状態を示すリールユニットＲＵからの信号等を、所定の光通信方式に応じた光信号に変換し、これらの光信号を第１光ファイバケーブルＦＣ１及びドア中継基板ＤＳを介して主制御基板ＭＳへと送信する。また、Ｉ／Ｏ通信ＬＳＩ３０５は、主制御基板ＭＳからのリール回転開始や回転停止、メダルの払い出し等を指示する制御信号をハーネスＨを介して入力し、これらの制御信号に応じた制御信号を、リールモータドライバ３１１やホッパモータドライバ３１２を通じてリールユニットＲＵやホッパ機構ＨＰへと出力する。
【００７８】
このように、主制御基板ＭＳからは、電気信号による制御信号が出力され、主制御基板ＭＳへの入力は、光ファイバケーブルＦＣ１、ＦＣ２を介して通信により行われるが、これは、リールユニットＲＵ及びホッパ機構ＨＰとの即応性の問題（コマンド送信による伝送時間の問題）があるためである。要するに、例えばストップボタン押下からリール停止する場合の遅延で図柄の停止位置に大幅なズレを発生させないようにするために、主制御基板Ｍとリールドライブ基板ＲＤとは、光ファイバケーブルを介して接続されないようになっている。
【００７９】
ドア中継基板ＤＳは、リールドライブ基板ＲＤやドア側に設けられた各種のスイッチ（５０〜５６）等からキャビネットＧ側に設けられた主制御基板ＭＳへと各種の信号を一方向に中継するための基板である。図１１に示すように、ドア中継基板ＤＳは、主制御基板ＭＳのマスタとなるＩ／Ｏ通信ＬＳＩ３０５に対してスレーブとなるＩ／Ｏ通信ＬＳＩ５００及び外部入力ドライバ５０１を有する。例えば、Ｉ／Ｏ通信ＬＳＩ５００は、各種のスイッチ等（５０〜５６）からの信号を、外部入力ドライバ５０１を通じて受信するとともに所定の光通信方式に応じた光信号に変換し、これらの光信号を第２光ファイバケーブルＦＣ２を介して主制御基板ＭＳへと送信する。また、Ｉ／Ｏ通信ＬＳＩ５００は、リールドライブ基板ＲＤからの信号も受信するとともに、所定の光通信方式に応じた光信号に変換し、この光信号を第２光ファイバケーブルＦＣ２を介して主制御基板ＭＳへと送信する。
【００８０】
副中継基板ＳＮは、主として主制御基板ＭＳからのコマンドを副制御基板ＳＳへと中継するとともに、演出用の機構等と副制御基板ＳＳとの間で各種の信号を中継するための基板である。図１２に示すように、副中継基板ＳＮは、セキュリティＩＣ６００、サウンドＩＣ６０１、デジタルアンプ６０２、及びＩ２Ｃコントローラ６０３を有する。例えば、副中継基板ＳＮは、副制御基板ＳＳからの画像信号をバイパス信号としてスケーラ基板ＳＫへと送信するとともに、副制御基板ＳＳからのスクリーン駆動信号をＩ２Ｃコントローラ６０３を介してスクリーン駆動制御基板ＣＳへと送信し、２４ｈドア監視ユニット６３との間でドア監視スイッチ６４の検出信号等をやり取りする。
【００８１】
セキュリティＩＣ６００は、主制御基板ＭＳからセキュリティコマンド（暗号化された主制御基板ＭＳからの各種コマンド等）を受信し、このセキュリティコマンドを平文に変換（暗号化されたコマンドの復号化）した上で副制御基板ＳＳに送信する。サウンドＩＣ６０１は、副制御基板ＳＳからの演出用のサウンド信号を受信し、このサウンド信号に応じた信号をデジタルアンプ６０２を通じてスピーカ群６２に送信する。Ｉ２Ｃコントローラ６０３は、副制御基板ＳＳからの演出用の点灯信号を受信し、この点灯信号に応じた信号をＬＥＤ基板６０に送信するとともに、副制御基板ＳＳとスクリーン駆動制御基板ＣＳとの間で制御信号やセンサ信号をやり取りする。
【００８２】
スケーラ基板ＳＫは、主として副制御基板ＳＳから演出用の画像信号を受信するとともに、当該画像信号を分割して複数の映像表示数に応じた画像信号を生成し、これらの画像信号をプロジェクタ装置Ｂ２やサブ液晶表示装置ＤＤ１９へと送信するための基板である。図１３に示すように、スケーラ基板ＳＫは、ＭＣＵ（Ｍｉｃｒｏ Ｃｏｎｔｒｏｌ Ｕｎｉｔ）（制御ＬＳＩ）７００、多出力スケーラＬＳＩ（解像度変換ＬＳＩともいう）７１０、Ｖ−ｂｙ−ｏｎｅ ＨＳトランスミッタ７１１、７１３、ＳＤＲＡＭ（ＤＤＲＳＤＲＡＭ／ＤＤＲ２ ＳＤＲＡＭ／ＤＤＲ３ ＳＤＲＡＭ等）７１２、受発光回路（図中、「ＯＰＴ３」と記す）７１４及び発光回路（図中、「ＯＰＴ４」と記す）７１５を有する。ＭＣＵ７００は、副中継基板ＳＮ及び多出力スケーラＬＳＩ７１０が接続されるとともに、サブ液晶Ｉ／Ｆ基板ＳＬ及び受発光回路７１４が接続される。
【００８３】
受発光回路７１４は、ＬＥＤなどのように電気信号を光信号に変換する光電変換素子と、フォトダイオードなどのように光信号を電気信号に変換する光電変換素子とを含んで構成される。また、受発光回路７１４は、光ファイバケーブル７３、７４（図１６参照）を介してプロジェクタ制御基板Ｂ２３に接続されており、副制御基板ＳＳがスケーラ基板ＳＫを経由してプロジェクタ制御基板Ｂ２３との間でやりとりされる制御信号を光電変換する。
【００８４】
多出力スケーラＬＳＩ７１０は、入力元として副制御基板ＳＳが接続されるとともに、ＭＣＵ７００、Ｖ−ｂｙ−ｏｎｅ ＨＳトランスミッタ７１１、７１３及びＳＤＲＡＭ７１２が接続される。Ｖ−ｂｙ−ｏｎｅ ＨＳトランスミッタ７１１は、出力先としてサブ液晶Ｉ／Ｆ基板ＳＬが接続される。Ｖ−ｂｙ−ｏｎｅ ＨＳトランスミッタ７１３は、出力先として発光回路７１５が接続される。発光回路７１５は、ＬＥＤなどの光電変換素子を含んで構成され、光ファイバケーブル７１、７２（図１６参照）を介して出力先であるプロジェクタ制御基板Ｂ２３に接続される。
【００８５】
図１４に示すように、多出力スケーラＬＳＩ７１０は、図外のＭＣＵ７００及びＳＤＲＡＭ７１２と接続されるＭＣＵインターフェース（例えば、ＰＣＩ Ｅｘｐｒｅｓｓ）８００及びＳＤＲＡＭインターフェース（例えば、ＰＣＩ Ｅｘｐｒｅｓｓ）８２０、解像度変換出力ブロックを構成する、複数のセレクトエリア（ＳｅｌｅｃｔＡｒｅａ）Ａ〜Ｄ８０１〜８０４、差動シリアルインターフェースとしてのＬＶＤＳ（Ｌｏｗ Ｖｏｌｔａｇｅ Ｄｉｆｆｅｒｅｎｔｉａｌ Ｓｉｇｎａｌｉｎｇ）（１）、（２）８１１、８１２、入出力インターフェースとしてのＬＶＴＴＬ（Ｌｏｗ Ｖｏｌｔａｇｅ ＴｒａｎｓｉｓｔｏｒＴｒａｎｓｉｓｔｏｒ Ｌｏｇｉｃ）（１）、（２）８１３、８１４、並びに映像分割ブロックを構成するＤＳＦ（Ｄｏｕｂｌｅ Ｓｃａｌｉｎｇ Ｆｉｌｔｅｒ）（α）８２１、ＤＳＦ（β）８２２を有する。
【００８６】
多出力スケーラＬＳＩ７１０は、例えば画像信号としてのＬＶＤＳ信号を分割及び解像度変換して出力するものである。具体的にいうと、多出力スケーラＬＳＩ７１０は、副制御基板ＳＳからのディファレンシャル伝送による一対のＬＶＤＳ信号（ＬＤＶＳ Ｄｕａｌ：ＩｎＰｕｔＡ、ＩｎＰｕｔＢ）をＤＳＦ（α）８２１、ＤＳＦ（β）８２２で２分割し、さらに４つのセレクトエリアＡ〜Ｄ８０１〜８０４のそれぞれにより所定の解像度に変換する。その後、多出力スケーラＬＳＩ７１０は、主として、ＬＶＤＳ（１）、（２）８１１、８１２を通じてプロジェクタ表示用のＬＶＤＳ信号（ＬＶＤＳ１及びＬＶＤＳ２のシングル信号）を出力するとともに、ＬＶＴＴＬ（１）、（２）８１３、８１４を通じてサブ液晶表示用のＬＶＴＴＬ信号（ＬＶＴＴＬ１及びＬＶＴＴＬ２のＲＧＢ信号）を出力する。多出力スケーラＬＳＩ７１０から出力された一対のＬＶＤＳ信号は、Ｖ−ｂｙ−ｏｎｅ ＨＳトランスミッタ７１３及び発光回路７１５を経由した後、光ファイバケーブル７１、７２を介して一対の光信号としてプロジェクタ制御基板Ｂ２３へと送信され、ＬＶＴＴＬ信号は、Ｖ−ｂｙ−ｏｎｅ ＨＳトランスミッタ７１１あるいはＭＣＵ７００を通じてサブ液晶Ｉ／Ｆ基板ＳＬへと送信される。
【００８７】
サブ液晶Ｉ／Ｆ基板ＳＬは、主としてスケーラ基板ＳＫからの画像信号（ＬＶＴＴＬ信号）をサブ液晶表示装置ＤＤ１９へと中継するとともに、スケーラ基板ＳＫを介して副制御基板ＳＳとタッチパネルＤＤ１９Ｔとの間で各種の信号を中継するための基板である。図１５に示すように、サブ液晶Ｉ／Ｆ基板ＳＬは、ＭＣＵ９００、Ｖ−ｂｙ−ｏｎｅ ＨＳレシーバ９０１、液晶ドライバＩＣ９０２、及びＬＥＤドライバＩＣ９０３を有する。
【００８８】
例えば、サブ液晶Ｉ／Ｆ基板ＳＬは、スケーラ基板ＳＫからの画像信号をＶ−ｂｙ−ｏｎｅ ＨＳレシーバ９０１及びＭＣＵ９００で受信し、この画像信号に基づいて液晶ドライバＩＣ９０２が液晶駆動用の制御信号をサブ液晶表示装置ＤＤ１９へと送信するとともに、ＬＥＤドライバＩＣ９０３が液晶表示バックライト駆動用の制御信号をサブ液晶表示装置ＤＤ１９へと送信する。
【００８９】
これにより、サブ液晶表示装置ＤＤ１９においては、画像信号に基づく所定の解像度で映像が表示される。また、ＭＣＵ９００は、タッチパネルＤＤ１９Ｔからの操作信号を受信し、この操作信号に応じた信号をスケーラ基板ＳＫを介して副制御基板ＳＳへと送信する。これにより、副制御基板ＳＳのサブＣＰＵ４００は、タッチパネルＤＤ１９Ｔからの操作信号に応じた入力操作が認識される。なお、特に図示しないが、サブ液晶表示装置ＤＤ１９には、サーミスタ等の温度センサが組み込まれており、この温度センサからの温度検出信号がサブ液晶Ｉ／Ｆ基板ＳＬに伝えられることにより、サブ液晶Ｉ／Ｆ基板ＳＬのＭＣＵ９００が動作時の温度を認識可能となっている。
【００９０】
（スケーラ基板ＳＫとプロジェクタ制御基板Ｂ２３との接続）
図１６に示すように、スケーラ基板ＳＫは、発光回路７１５及び受発光回路７１４を有し、プロジェクタ制御基板Ｂ２３は、受光回路２３５及び受発光回路２３６を有する。
【００９１】
スケーラ基板ＳＫとプロジェクタ制御基板Ｂ２３とは、光ファイバケーブル７１〜７４及び導電性ケーブル７５Ａ、７５Ｂ、７６Ａ、７６Ｂを介して接続されており、光ファイバケーブル７１〜７４及び導電性ケーブル７５Ａ、７５Ｂ、７６Ａ、７６Ｂは、雌コネクタ９３及び雄コネクタ９４を有する。
【００９２】
光ファイバケーブル７１は、光ファイバケーブル８１、８７から構成されている。光ファイバケーブル８１は、一端部が発光回路７１５に接続されており、他端部が雌コネクタ９３に接続されている。光ファイバケーブル８７は、一端部が受光回路２３５に接続されており、他端部が雄コネクタ９４に接続されている。
【００９３】
光ファイバケーブル７２は、光ファイバケーブル８２、８８から構成されている。光ファイバケーブル８２は、一端部が発光回路７１５に接続されており、他端部が雌コネクタ９３に接続されている。光ファイバケーブル８８は、一端部が受光回路２３５に接続されており、他端部が雄コネクタ９４に接続されている。
【００９４】
光ファイバケーブル７３は、光ファイバケーブル８３、８９から構成されている。光ファイバケーブル８３は、一端部が受発光回路７１４に接続されており、他端部が雌コネクタ９３に接続されている。光ファイバケーブル８９は、一端部が受発光回路２３６に接続されており、他端部が雄コネクタ９４に接続されている。
【００９５】
光ファイバケーブル７４は、光ファイバケーブル８４、９０から構成されている。光ファイバケーブル８４は、一端部が受発光回路７１４に接続されており、他端部が雌コネクタ９３に接続されている。光ファイバケーブル９０は、一端部が受発光回路２３６に接続されており、他端部が雄コネクタ９４に接続されている。
【００９６】
導電性ケーブル７５Ａは、導電性ケーブル８５Ａ、９１Ａから構成されており、導電性ケーブル７５Ｂは、導電性ケーブル８６Ａ、９２Ａから構成されている。電源ラインに割り当てられている導電性ケーブル８５Ａ、８６Ａは、一端部が副中継基板ＳＮを経由（図７参照）してスケーラ基板ＳＫを介して電源基板ＤＥ１の直流＋１２Ｖ電源に接続されており、他端部が雌コネクタ９３に接続されている。電源ラインに割り当てられている導電性ケーブル９１Ａ、９２Ａは、一端部がプロジェクタ制御基板Ｂ２３の電源（直流＋１２Ｖ）に接続されており、他端部が雄コネクタ９４に接続されている。
【００９７】
導電性ケーブル７６Ａは、導電性ケーブル８５Ｂ、９１Ｂから構成されており、導電性ケーブル７６Ｂは、導電性ケーブル８６Ｂ、９２Ｂから構成されている。グランドラインに割り当てられている導電性ケーブル８５Ｂ、８６Ｂは、一端部が副中継基板ＳＮを経由（図７参照）してスケーラ基板ＳＫを介して電源基板ＤＥ１の直流＋１２Ｖ電源用のグランド層（又はグランドパターン）に接続されており、他端部が雌コネクタ９３に接続されている。グランドラインに割り当てられている導電性ケーブル９１Ｂ、９２Ｂは、一端部がプロジェクタ制御基板Ｂ２３のグランド層（又はグランドパターン）に接続されており、他端部が雄コネクタ９４に接続されている。
【００９８】
すなわち、本実施形態の光ファイバケーブル８１〜８４及び導電性ケーブル８５Ａ、８５Ｂ、８６Ａ、８６Ｂは、雌コネクタ９３に一体で接続されており、光ファイバケーブル８７〜９０及び導電性ケーブル９１Ａ、９１Ｂ、９２Ａ、９２Ｂは、雄コネクタ９４に一体で接続されている。
【００９９】
これにより、雌コネクタ９３及び雄コネクタ９４が接続された状態において、導電性ケーブル７５Ａ、７５Ｂ、７６Ａ、７６Ｂによってスケーラ基板ＳＫとプロジェクタ制御基板Ｂ２３とが電気的に接続され、光ファイバケーブル７１〜７４によってスケーラ基板ＳＫとプロジェクタ制御基板Ｂ２３とが光学的に接続される。
【０１００】
光ファイバケーブル７１、７２は、スケーラ基板ＳＫからプロジェクタ制御基板Ｂ２３に画像データを光信号で送信する画像データ用の光ファイバケーブルである。光ファイバケーブル７３は、スケーラ基板ＳＫからプロジェクタ制御基板Ｂ２３に制御信号を光信号で送信する下りの制御信号用の光ファイバケーブルであり、光ファイバケーブル７４は、プロジェクタ制御基板Ｂ２３からスケーラ基板ＳＫに制御信号を光信号で送信する上りの制御信号用の光ファイバケーブルから構成されている。
【０１０１】
ここで、本実施形態の光ファイバケーブル８１〜８４及び導電性ケーブル８５Ａ、８５Ｂ、８６Ａ、８６Ｂは、第１の配線５７を構成し、光ファイバケーブル８７〜９０及び導電性ケーブル９１Ａ、９１Ｂ、９２Ａ、９２Ｂは、第２の配線５８を構成する。また、第１の配線５７及び第２の配線５８は、配線５９を構成する。
【０１０２】
また、雌コネクタ９３は、本発明の第１の接続部材を構成し、雄コネクタ９４は、本発明の第２の接続部材を構成する。さらに、スケーラ基板ＳＫ及びスケーラ基板ＳＫに接続される副制御基板ＳＳは、本発明の制御部を構成し、プロジェクタ制御基板Ｂ２３を有する表示ユニットＡは、本発明の表示部を構成する。なお、本実施形態の遊技機１において、第１の接続部材を雌コネクタから構成し、第２の接続部材を雄コネクタから構成しているが、第１の接続部材を雄コネクタから構成し、第２の接続部材を雌コネクタから構成してもよい。
【０１０３】
（光ファイバケーブル７１〜７４、導電性ケーブル８５Ａ、８５Ｂ、８６Ａ、８６Ｂ、雌コネクタ９３及び雄コネクタ９４の構成）
図１７、図１８において、雌コネクタ９３は、平板部９５及び平板部９５から雄コネクタ９４に向かって突出する突出部９６を備えている。平板部９５には複数の挿入口９７Ａ〜９７Ｆが形成されており、平板部９５の幅方向（遊技機１の左右方向）の両端部には平板部９５を前後方向に貫通するボルト挿通孔９７Ｇが形成されている。
【０１０４】
光ファイバケーブル８１、８２と光ファイバケーブル８３、８４とは、それぞれコネクタ９９によって２つ１組で一体に保持されている。コネクタ９９の外径形状は、挿入口９７Ａ、９７Ｂの内径形状と同一形状に形成されており、コネクタ９９は、挿入口９７Ａ、９７Ｂに挿入されることで、雌コネクタ９３に接続される。
【０１０５】
図２５、図２６、図２８において、光ファイバケーブル８１〜８４（光ファイバケーブル８３、８４は、図示省略）は、コア１００ａと、コア１００ａを覆うクラッド１００ｂと、クラッド１００ｂを覆い、光ファイバケーブル８１〜８４よりも硬い樹脂材料から構成される樹脂被膜１００ｃとから構成されている。コネクタ９９は、光ファイバケーブル８１〜８４の先端を覆う光ファイバ部９９Ａを備えており、光ファイバケーブル８１〜８４の先端は、光ファイバ部９９Ａの先端まで延びている。本実施形態のコネクタ９９は、本発明の第３の接続部材を構成している。
【０１０６】
図１７において、導電性ケーブル８５Ａ、８５Ｂ、８６Ａ、８６Ｂの先端には金属製の端子８５ａ、８５ｂ、８６ａ、８６ｂが設けられており、端子８５ａ、８５ｂ、８６ａ、８６ｂは、挿入口９７Ｃ〜９７Ｆに挿入されて挿入口９７Ｃ〜９７Ｆに嵌合される。
【０１０７】
図１７、図２１において、挿入口９７Ａ、９７Ｂは、挿入口９７Ｃ〜９７Ｆに対して平板部９５の幅方向内方に形成されている。また、挿入口９７Ｃ〜９７Ｆは、挿入口９７Ａ、９７Ｂに対して幅方向外方に形成されている。
【０１０８】
これにより、光ファイバケーブル８１〜８４は、雌コネクタ９３の幅方向内方に接続され、導電性ケーブル８５Ａ、８５Ｂ、８６Ａ、８６Ｂは、光ファイバケーブル８１〜８４に対して幅方向外方に位置するようにして雌コネクタ９３に接続される。
【０１０９】
図２０、図２２、図２５、図２６において、突出部９６には開口部９６Ａが形成されている。図２５、図２６において、突出部９６の内部には隔壁９６Ｂが設けられており、隔壁９６Ｂは、雌コネクタ９３の内部を、挿入口９７Ａ、９７Ｂ（挿入口９７Ｂは、図示省略）と開口部９６Ａとに仕切っている。なお、開口部９６Ａは、本発明の雌コネクタの開口部に相当する。また、突出部９６に形成された開口部９６Ａの開放端には雄コネクタ９４が挿入される際の受け角（テーパ）を設けたガイド面９６Ｄが形成されている。
【０１１０】
図２１、図２２において、隔壁９６Ｂには４つの貫通孔９６Ｃが形成されており、図２５、図２６に示すように貫通孔９６Ｃは、挿入口９７Ａ、９７Ｂ（挿入口９７Ｂは、図示省略）と開口部９６Ａとを連通している。
【０１１１】
貫通孔９６Ｃには光ファイバ部９９Ａが挿通されるようになっており、光ファイバ部９９Ａが貫通孔９６Ｃに挿通された状態において、光ファイバ部９９Ａの先端が貫通孔９６Ｃから開口部９６Ａの内部に突出するようになっている。これにより、光ファイバケーブル８１〜８４の先端は、貫通孔９６Ｃから開口部９６Ａの内部に突出している。
【０１１２】
図２５、図２６において、コネクタ９９の上面及び下面にはそれぞれ段部９９Ｂ、９９Ｃが形成されている。図１７〜図１９、図２１、図２５〜図２７において、挿入口９７Ａ、９７Ｂの開口端の上部及び下部には係止爪１０１が形成されており、係止爪１０１は、挿入口９７Ａ、９７Ｂに挿入されたコネクタ９９の段部９９Ｂ、９９Ｃに係止される。このように挿入口９７Ａ、９７Ｂに挿入されたコネクタ９９は、係止爪１０１によって挿入口９７Ａ、９７Ｂに抜け止め係止される。ここで、本実施形態の係止爪１０１は、本発明の係止部を構成する。
【０１１３】
図１７、図１８において、雄コネクタ９４は、平板部１０２と平板部１０２から雌コネクタ９３に向かって突出する突出部１０３とを備えており、突出部１０３は、雌コネクタ９３の開口部９６Ａ（図２０参照）に挿入される。平板部１０２の幅方向（遊技機１の左右方向）の両端部には平板部１０２を前後方向に貫通するボルト挿通孔１０２Ｇが形成されており（図２３参照）、ボルト挿通孔１０２Ｇには円筒部材１０４が挿通されている。また、突出部１０３の先端部は、略台形のガイド面１０３Ｄが形成されており、ガイド面１０３Ｄは、雄コネクタ９４の幅方向の外側の斜面の角度（突入角度）が雌コネクタ９３に形成されたガイド面９６Ｄと嵌合する際のガイド機能を有している。本実施形態では、前述したようなガイド面９６Ｄ及びガイド面１０３Ｄを形成したことにより、雌コネクタ９３と雄コネクタ９４とを嵌合する際の嵌合誤差を吸収することができる。
【０１１４】
図３２に示すように、円筒部材１０４の軸線方向の両端にはフランジ部１０４Ａ、１０４Ｂが形成されており、フランジ部１０４Ａ、１０４Ｂの外径は、ボルト挿通孔１０２Ｇの内径よりも大径に形成されている。円筒部材１０４の外周部とボルト挿通孔１０２Ｇの内周部との間には隙間Ｓ１（直径方向で約１．５ｍｍ〜２ｍｍ程度）が形成されており、円筒部材１０４は、ボルト挿通孔１０２Ｇの径方向に移動可能となっている。
【０１１５】
図２３において、平板部１０２には挿入口１０２Ａ〜１０２Ｆが形成されている。図１７において、光ファイバケーブル８７、８８と光ファイバケーブル８９、９０とは、それぞれコネクタ９９によって２つ１組で一体に保持されている。コネクタ９９の外径形状は、挿入口１０２Ａ、１０２Ｂの内径形状と同一形状に形成されており、コネクタ９９は、挿入口１０２Ａ、１０２Ｂに挿入されることで、雄コネクタ９４に接続される。ここで、本実施形態の挿入口９７Ａ、９７Ｂ、１０２Ａ、１０２Ｂは、本発明の挿入口を構成する。
【０１１６】
図２５、図２６、図２８において、光ファイバケーブル８７〜９０は、コア１００ａと、コア１００ａを覆うクラッド１００ｂと、クラッド１００ｂを覆い、光ファイバケーブル８１〜８４よりも硬い樹脂材料から構成される樹脂被膜１００ｃとから構成されている。コネクタ９９は、光ファイバケーブル８７〜９０の先端を覆う光ファイバ部９９Ａを備えており、光ファイバケーブル８７〜９０の先端は、光ファイバ部９９Ａの先端まで延びている。
【０１１７】
図１７において、導電性ケーブル９１Ａ、９１Ｂ、９２Ａ、９２Ｂの先端には金属製の端子９１ａ、９１ｂ、９２ａ、９２ｂが設けられており、端子９１ａ、９１ｂ、９２ａ、９２ｂは、挿入口１０２Ｃ〜１０２Ｆに挿入されて挿入口１０２Ｃ〜１０２Ｆに嵌合される。
【０１１８】
突出部１０３の幅方向（遊技機１の左右方向）の両側にはスリット１０３Ａ、１０３Ｂが形成されており、雌コネクタ９３と雄コネクタ９４とが接続された状態において、スリット１０３Ａ、１０３Ｂに導電性ケーブル８５Ａ、８５Ｂ、８６Ａ、８６Ｂの端子８５ａ、８５ｂ、８６ａ、８６ｂが挿通される。これにより、導電性ケーブル９１Ａ、９１Ｂ、９２Ａ、９２Ｂの端子９１ａ、９１ｂ、９２ａ、９２ｂに端子８５ａ、８５ｂ、８６ａ、８６ｂが電気的に接続される。
【０１１９】
図２３において、挿入口１０２Ａ、１０２Ｂは、挿入口１０２Ｃ〜１０２Ｆに対して平板部１０２の幅方向内方に形成されている。また、挿入口１０２Ｃ〜１０２Ｆは、挿入口１０２Ａ、１０２Ｂに対して幅方向外方に形成されている。
【０１２０】
これにより、光ファイバケーブル８７〜９０は、雄コネクタ９４の幅方向内方に接続され、導電性ケーブル９１Ａ、９１Ｂ、９２Ａ、９２Ｂは、光ファイバケーブル８７〜９０に対して幅方向外方に位置するようにして雄コネクタ９４に接続される。
【０１２１】
図２３、図２４において、突出部１０３には４つの挿通穴１０３Ｃが形成されており、図２５、図２６に示すように、挿通穴１０３Ｃは、一端が雌コネクタ９３に向かって開口し、他端が挿入口１０２Ａ、１０２Ｂ（挿入口１０２Ｂは、図示省略）に連通している。
【０１２２】
挿通穴１０３Ｃには光ファイバ部９９Ａが挿通されるようになっており、光ファイバ部９９Ａが挿通穴１０３Ｃに挿通された状態において、挿通穴１０３Ｃの先端（雌コネクタ９３側の端部）には空間が形成される。
【０１２３】
図２７に示すように、雌コネクタ９３と雄コネクタ９４とが接続された状態において、挿通穴１０３Ｃの先端の空間には、光ファイバケーブル８１〜８４（光ファイバケーブル８３、８４は図示省略）のコネクタ９９の光ファイバ部９９Ａが挿通される。
【０１２４】
このように本実施形態の遊技機１では、雌コネクタ９３の開口部９６Ａの内部において、雄コネクタ９４に対向する雌コネクタ９３の対向面に隔壁９６Ｂが設けられ、雌コネクタ９３に対向する雄コネクタ９４の対向面に突出部１０３が設けられる。隔壁９６Ｂは、光ファイバケーブル８１〜８４の先端部である光ファイバ部９９Ａが突出するようにコネクタ９９を保持しており、突出部１０３は、隔壁９６Ｂから突出する光ファイバ部９９Ａが挿通される挿通穴１０３Ｃを有し、光ファイバケーブル８１〜８４の先端部が挿通穴１０３Ｃに対向するように光ファイバケーブル８７〜９０側のコネクタ９９を保持している。
【０１２５】
ここで、本実施形態の隔壁９６Ｂは、本発明の第１の保持部を構成し、突出部１０３は、本発明の第２の保持部を構成する。また、雌コネクタ９３の開口部９６Ａは、本発明の開口部を構成し、雄コネクタ９４の突出部１０３は、本発明の凸部を構成する。
【０１２６】
図２３、図２５〜図２７において、挿入口１０２Ａ、１０２Ｂの開口端の上部及び下部には係止爪１０５が形成されており、係止爪１０５は、挿入口１０２Ａ、１０２Ｂに挿入されたコネクタ９９の段部９９Ｂ、９９Ｃに係止される。このように挿入口１０２Ａ、１０２Ｂに挿入されたコネクタ９９は、係止爪１０５によって挿入口１０２Ａ、１０２Ｂに抜け止め係止される。ここで、本実施形態の係止爪１０５は、本発明の係止部を構成する。
【０１２７】
図２０、図２２に示すように、雌コネクタ９３の突出部９６において、開口部９６Ａの幅方向（遊技機１の左右方向）の内周側面にはガイド突起１０６が形成されており、ガイド突起１０６は、雌コネクタ９３と雄コネクタ９４との接続方向（遊技機１の前後方向）に沿って延在している。
【０１２８】
図１７、図２４において、雄コネクタ９４の突出部１０３の幅方向の外周側面にはガイド溝１０７が形成されており、ガイド溝１０７は、雌コネクタ９３と雄コネクタ９４との接続方向に沿って延在し、ガイド溝１０７にはガイド突起１０６が嵌合される。本実施形態のガイド突起１０６は、本発明の第１の嵌合部を構成し、ガイド溝１０７は、本発明の第２の嵌合部を構成する。
【０１２９】
図３において、キャビネットＧの後壁部Ｇ６の上部には表示ユニットＡに対向するようにしてブラケット１４１が設置されている。ブラケット１４１は、ボルト１４２によって後壁部Ｇ６に固定されており（図２９、図３０参照）、ブラケット１４１にはボルト１４３によって雌コネクタ９３の平板部９５（図１７参照）が固定されている。
【０１３０】
図２９において、ブラケット１４１は、コの字形状に形成されており、ブラケット１４１の前面には雌コネクタ９３の突出部９６が通される窓が形成されている。光ファイバケーブル８１〜８４及び導電性ケーブル８５Ａ、８５Ｂ、８６Ａ、８６Ｂは、ブラケット１４１の背面とキャビネットＧの後壁部Ｇ６との間を通してスケーラ基板ＳＫまで延びている。
【０１３１】
図４、図５において、雄コネクタ９４は、表示ユニットＡに取付けられている。表示ユニットＡの後部において、スクリーン筐体Ｃ１０の上面と照射ユニットＢのプロジェクタカバーＢ１の下面との間に空間Ｇ７が形成されており、スクリーン筐体Ｃ１０及びプロジェクタカバーＢ１には板状のブラケット１４５が取付けられている。
【０１３２】
図３２に示すように、ブラケット１４５には窓１４５ａが形成されており、ブラケット１４５の表面には平板部１０２がボルト１４６によって固定されている。光ファイバケーブル８７〜９０及び導電性ケーブル９１Ａ、９１Ｂ、９２Ａ、９２Ｂは、窓１４５ａからブラケット１４５の背面を通してプロジェクタ制御基板Ｂ２３まで延びている（図３１参照）。
【０１３３】
図３２において、ブラケット１４５にはボルト穴１４５ｂを通してボルト１４６が挿通されている。ボルト１４６は、円筒部材１０４を介してボルト挿通孔１０２Ｇに挿通されており、ボルト１４６は、ナット１４４に締結されている。これにより、雄コネクタ９４は、ブラケット１４５に固定される。
【０１３４】
ここで、ボルト１４６の外周部と円筒部材１０４の内周部とは密着しており、円筒部材１０４は、ボルト１４６に対して相対的に移動しない。また、円筒部材１０４とボルト挿通孔１０２Ｇとの間には隙間Ｓ１が形成されている。
【０１３５】
これにより、雄コネクタ９４は、円筒部材１０４の径方向に移動可能となっている。すなわち、本実施形態の雄コネクタ９４は、表示ユニットＡに対して一定の可動領域内において可動可能となっている。この可動領域により、表示ユニットＡの取付位置の公差（誤差）を吸収するとともに、表示ユニットＡをキャビネットＧに固定した際の、雌コネクタ９３及び雄コネクタ９４に掛かる接点、すなわち、端子８５ａ、８５ｂ、８６ａ、８６ｂと端子９１ａ、９１ｂ、９２ａ、９２ｂとのストレスが軽減される。
【０１３６】
なお、雌コネクタ９３に円筒部材１０４を設け、雌コネクタ９３をキャビネットＧに対して可動可能に取付けてもよい。また、雄コネクタ９４を表示ユニットＡではなく、キャビネットＧに可動可能に取付けるとともに、雌コネクタ９３を表示ユニットＡに取付けてもよい。
【０１３７】
本実施形態の遊技機１によれば、遊技に関する制御を実行するスケーラ基板ＳＫと、画像の表示を行う表示ユニットＡと、一端部がスケーラ基板ＳＫに接続され、他端部が雌コネクタ９３に一体で接続される光ファイバケーブル８１〜８４及び導電性ケーブル８５Ａ、８５Ｂ、８６Ａ、８６Ｂと、一端部が表示ユニットＡのプロジェクタ制御基板Ｂ２３に接続され、他端部が雄コネクタ９４に一体で接続される光ファイバケーブル８７〜９０及び導電性ケーブル９１Ａ、９１Ｂ、９２Ａ、９２Ｂとを備えている。
【０１３８】
そして、本実施形態の遊技機１は、雌コネクタ９３及び雄コネクタ９４を接続することにより、導電性ケーブル８５Ａ、８５Ｂ、８６Ａ、８６Ｂ、９１Ａ、９１Ｂ、９２Ａ、９２Ｂによってスケーラ基板ＳＫとプロジェクタ制御基板Ｂ２３とを電気的に接続し、光ファイバケーブル８１〜８４、８７〜９０によってスケーラ基板ＳＫとプロジェクタ制御基板Ｂ２３とを光学的に接続している。
【０１３９】
これにより、スケーラ基板ＳＫに取付けられる第１の配線５７とプロジェクタ制御基板Ｂ２３に取付けられる第２の配線５８とのそれぞれを、導電性ケーブル８５Ａ、８５Ｂ、８６Ａ、８６Ｂと電磁波の影響を受けない独立した光ファイバケーブル８１〜８４とで纏めることができるとともに、導電性ケーブル９１Ａ、９１Ｂ、９２Ａ、９２Ｂと電磁波の影響を受けない独立した光ファイバケーブル８７〜９０とで纏めることができる。このため、配線５９の引き回しを簡素化して、配線５９の配線作業の作業性を向上できる。この結果、遊技機１の生産性を向上できる。
【０１４０】
特に、本実施形態の遊技機１によれば、光ファイバケーブル８１、８２、８７、８８が、スケーラ基板ＳＫからプロジェクタ制御基板Ｂ２３に画像データを送信する画像データ用の光ファイバケーブルから構成され、光ファイバケーブル８３、８４、８９、９０が、スケーラ基板ＳＫとプロジェクタ制御基板Ｂ２３との間で制御信号のやりとりを行う制御信号用の光ファイバケーブルから構成される。これにより、スケーラ基板ＳＫ及びプロジェクタ制御基板Ｂ２３との間で、高速で大容量の画像データと画像データに比べて比較的に低速な制御信号とを並走できる。
【０１４１】
これにより、高速な画像信号ラインを構成する画像データ用の光ファイバケーブル８１、８２、８７、８８から低速な制御信号ラインを構成する制御信号用の光ファイバケーブル８３、８４、８９、９０に電気的なノイズの影響が与えられることを防止できる。
【０１４２】
また、本実施形態の遊技機１によれば、性質の異なる導電性ケーブル８５Ａ、８５Ｂ、８６Ａ、８６Ｂ、９１Ａ、９１Ｂ、９２Ａ、９２Ｂと光ファイバケーブル８１〜８４、８７〜９０とを纏めることで、導電性ケーブル８５Ａ、８５Ｂ、８６Ａ、８６Ｂ、９１Ａ、９１Ｂ、９２Ａ、９２Ｂ及び光ファイバケーブル８１〜８４、８７〜９０の取り扱いを容易にすることができ、導電性ケーブル８５Ａ、８５Ｂ、８６Ａ、８６Ｂ、９１Ａ、９１Ｂ、９２Ａ、９２Ｂと光ファイバケーブル８１〜８４、８７〜９０とによってスケーラ基板ＳＫとプロジェクタ制御基板Ｂ２３とを接続する際に、人為的な接続不良が発生することを抑制することができる。
【０１４３】
また、導電性ケーブル８５Ａ、８５Ｂ、８６Ａ、８６Ｂ、９１Ａ、９１Ｂ、９２Ａ、９２Ｂと光ファイバケーブル８１〜８４、８７〜９０とを纏めることで、導電性ケーブル８５Ａ、８５Ｂ、８６Ａ、８６Ｂ、９１Ａ、９１Ｂ、９２Ａ、９２Ｂ及び光ファイバケーブル８１〜８４、８７〜９０の管理を容易にして、導電性ケーブル８５Ａ、８５Ｂ、８６Ａ、８６Ｂ、９１Ａ、９１Ｂ、９２Ａ、９２Ｂ及び光ファイバケーブル８１〜８４、８７〜９０の管理コストを低減することができる。
【０１４４】
さらに、本実施形態の遊技機１は、光ファイバケーブル８１〜８４、８７〜９０をそれぞれ雌コネクタ９３及び雄コネクタ９４の幅方向内方に接続し、導電性ケーブル８５Ａ、８５Ｂ、８６Ａ、８６Ｂ、９１Ａ、９１Ｂ、９２Ａ、９２Ｂを光ファイバケーブル８１〜８４、８７〜９０に対して幅方向外方に位置するようにして雌コネクタ９３及び雄コネクタ９４に接続している。
【０１４５】
これにより、導電性ケーブル８５Ａ、８５Ｂ、８６Ａ、８６Ｂ、９１Ａ、９１Ｂ、９２Ａ、９２Ｂを、光ファイバケーブル８１〜８４、８７〜９０を挟んで離れた位置に設置できる。このため、離れた位置にある導電性ケーブル８５Ａ、８５Ｂと導電性ケーブル８６Ａ、８６Ｂ及び導電性ケーブル９１Ａ、９１Ｂと導電性ケーブル９２Ａ、９２Ｂとの電気的な干渉を抑えることができ、離れた位置にある導電性ケーブル８５Ａ、８５Ｂと導電性ケーブル８６Ａ、８６Ｂ及び導電性ケーブル９１Ａ、９１Ｂと導電性ケーブル９２Ａ、９２Ｂとがノイズの影響を受けることを抑制できる。
【０１４６】
また、本実施形態の遊技機１によれば、１組の光ファイバケーブル８１、８２と、１組の光ファイバケーブル８３、８４と、１組の光ファイバケーブル８７、８８と、１組の光ファイバケーブル８９、９０とがそれぞれ接続されるコネクタ９９を有し、コネクタ９９が雌コネクタ９３及び雄コネクタ９４に接続される。
【０１４７】
これにより、複数の光ファイバケーブル８１〜８４、８７〜９０をコネクタ９９で纏めて雌コネクタ９３及び雄コネクタ９４に接続できる。このため、光ファイバケーブル８１〜８４、８７〜９０の取り扱いを容易に行うことができ、光ファイバケーブル８１〜８４、８７〜９０の管理コストをより効果的に低減できる。これに加えて、雌コネクタ９３及び雄コネクタ９４に対する光ファイバケーブル８１〜８４、８７〜９０の接続作業の作業性を向上できる。
【０１４８】
また、本実施形態の遊技機１によれば、雌コネクタ９３の挿入口９７Ａ、９７Ｂ及び雄コネクタ９４の挿入口１０２Ａ、１０２Ｂの開口端に、係止爪１０１、１０５を設け、係止爪１０１、１０５をコネクタ９９の段部９９Ｂ、９９Ｃに係止させることで、コネクタ９９を挿入口９７Ａ、９７Ｂ、１０２Ａ、１０２Ｂに抜け止め係止した。
【０１４９】
これにより、コネクタ９９が雌コネクタ９３及び雄コネクタ９４から脱落することを防止できる。さらに、挿入口９７Ａ、９７Ｂ、１０２Ａ、１０２Ｂにコネクタ９９を挿入することで、コネクタ９９に外部からアクセスされることを防止でき、光ファイバケーブル８１〜８４、８７〜９０が雌コネクタ９３及び雄コネクタ９４から故意に取り外されてしまうことを防止でき、ゴト行為等を抑制することができる。
【０１５０】
また、本実施形態の遊技機１によれば、雌コネクタ９３の隔壁９６Ｂによって光ファイバケーブル８１〜８４の先端部が突出するようにコネクタ９９が保持され、雄コネクタ９４の突出部１０３が、隔壁９６Ｂから突出する光ファイバケーブル８１〜８４の先端部が挿通される挿通穴１０３Ｃを有し、光ファイバケーブル８７〜９０の先端部が挿通穴１０３Ｃに対向するように突出部１０３にコネクタ９９が保持される。
【０１５１】
すなわち、雌コネクタ９３と雄コネクタ９４とを接続するときに、突出部１０３の挿通穴１０３Ｃに隔壁９６Ｂから突出する光ファイバケーブル８１〜８４の先端部（光ファイバ部９９Ａ）を挿通することで、光ファイバケーブル８１〜８４の先端部と光ファイバケーブル８７〜９０の先端部との接触面を対向させることができ、光ファイバケーブル８１〜８４、８７〜９０の光軸を同一軸線上に合わせることができる。
【０１５２】
これに加えて、隔壁９６Ｂ及び突出部１０３によって光ファイバケーブル８１〜８４、８７〜９０の先端部を覆うことができ、光ファイバケーブル８１〜８４、８７〜９０の先端部から光が漏れることや、光ファイバケーブル８１〜８４、８７〜９０の先端部から外来光が入射されることを防止できる。さらに、光ファイバケーブル８１〜８４、８７〜９０の先端部に工具等の異物が接触することや外部の圧力が加わることを抑制して、光ファイバケーブル８１〜８４、８７〜９０の先端部の接触面を阻害するゴト行為等が発生することを防止できる。
【０１５３】
特に、本実施形態の遊技機１においては、第１の接続部材が、開口部９６Ａを有する雌コネクタ９３から構成され、開口部９６Ａの内部に隔壁９６Ｂが設けられ、第１の接続部材が、雌コネクタ９３の開口部９６Ａに挿入される突出部１０３を有する雄コネクタ９４から構成される。
【０１５４】
これにより、隔壁９６Ｂ及び突出部１０３によって光ファイバケーブル８１〜８４、８７〜９０を覆うことに加えて、雌コネクタ９３の開口部９６Ａに雌コネクタ９３の突出部１０３を挿入することで開口部９６Ａによって光ファイバケーブル８１〜８４、８７〜９０の先端部を覆うことができる。
【０１５５】
このため、光ファイバケーブル８１〜８４、８７〜９０の先端部を隔壁９６Ｂ及び突出部１０３と開口部９６Ａとによって二重に覆うことでき、光ファイバケーブル８１〜８４、８７〜９０の先端部から光が漏れることや、光ファイバケーブル８１〜８４、８７〜９０の先端部から外来光が入射されることをより効果的に防止できる。
【０１５６】
これに加えて、光ファイバケーブル８１〜８４、８７〜９０の先端部に工具等の異物が接触することや外部の圧力が加わることをより効果的に抑制して、光ファイバケーブル８１〜８４、８７〜９０の先端部の接触面を阻害するゴト行為等が発生することをより効果的に防止できる。
【０１５７】
さらに、雌コネクタ９３の開口部９６Ａの幅方向の内周側面に、雌コネクタ９３と雄コネクタ９４との接続方向に沿って延在するガイド突起１０６が形成され、雄コネクタ９４の突出部１０３の幅方向の外周側面に、雌コネクタ９３と雄コネクタ９４との接続方向に沿って延在し、ガイド突起１０６に嵌合されるガイド溝１０７が形成される。
【０１５８】
これにより、ガイド突起１０６に沿ってガイド溝１０７を摺動させながら開口部９６Ａに突出部１０３を挿入することで、隔壁９６Ｂに保持された光ファイバケーブル８１〜８４の先端部を突出部１０３の挿通穴１０３Ｃに位置決めしながら雌コネクタ９３と雄コネクタ９４とを接続することができる。この結果、雌コネクタ９３と雄コネクタ９４とを円滑に接続することができる。
【０１５９】
なお、雌コネクタ９３に、雌コネクタ９３と雄コネクタ９４との接続方向に沿って延在するガイド溝１０７を形成し、雄コネクタ９４に、雌コネクタ９３と雄コネクタ９４との接続方向に沿って延在し、ガイド溝１０７に嵌合されるガイド突起１０６を形成してもよい。
【０１６０】
また、本実施形態の遊技機１によれば、何らかの原因で光ファイバケーブル８１〜８４、８７〜９０、または雌コネクタ９３、雄コネクタ９４に外力が加わってもスケーラ基板ＳＫと表示ユニットＡとの光学的な接続を維持することができる。さらに、配線に電磁波（外来ノイズ）が照射されても、スケーラ基板ＳＫと表示ユニットＡとが光ファイバケーブル８１〜８４、８７〜９０によって接続されていることで、画像信号及び制御信号が電磁波の影響を受けることがなく、鮮明な画像を維持できる。これにより、遊技機１の信頼性が低下することを防止できる。
【０１６１】
特に、本実施形態の遊技機１にあっては、何らかの原因で光ファイバケーブル８１〜８４、８７〜９０または雌コネクタ９３、雄コネクタ９４に外力が加わっても、光ファイバケーブル８１〜８４、８７〜９０によってスケーラ基板ＳＫと表示ユニットＡとの光学的な接続を維持するために、雄コネクタ９４の平板部１０２に形成されたボルト挿通孔１０２Ｇに設けられた円筒部材１０４の隙間Ｓ１により、光ファイバケーブル８１〜８４、８７〜９０、雌コネクタ９３または雄コネクタ９４に加わった外力を吸収するフローティング機構を形成することで、光ファイバケーブル８１〜８４及び光ファイバケーブル８７〜９０の光学的な接続を維持できる。すなわち、フローティング機構によってスケーラ基板ＳＫと表示ユニットＡとの間の画像信号、制御信号及び電力の供給を継続できる。これにより、遊技機１の信頼性が低下することをより確実に防止できる。
【０１６２】
また、本実施形態の遊技機１によれば、前面側に開口部Ｇ５を有するキャビネットＧを備え、表示ユニットＡが、開口部Ｇ５を通してキャビネットＧに着脱可能に設けられ、キャビネットＧに雌コネクタ９３が設けられるとともに、表示ユニットＡに雄コネクタ９４が設けられている。
【０１６３】
これにより、表示ユニットＡをキャビネットＧに装着したときに、光ファイバケーブル８１〜８４及び導電性ケーブル８５Ａ、８５Ｂ、８６Ａ、８６Ｂが纏められた雌コネクタ９３に、光ファイバケーブル８７〜９０及び導電性ケーブル９１Ａ、９１Ｂ、９２Ａ、９２Ｂが纏められた雄コネクタ９４を接続することができる。
【０１６４】
このため、雌コネクタ９３及び雄コネクタ９４を介して光ファイバケーブル８１〜８４及び導電性ケーブル８５Ａ、８５Ｂ、８６Ａ、８６Ｂと光ファイバケーブル８７〜９０及び導電性ケーブル９１Ａ、９１Ｂ、９２Ａ、９２Ｂとを容易に接続することができ、配線５９の引き回しをより効果的に簡素化して、配線５９の配線作業の作業性をより効果的に向上できる。
【０１６５】
また、本実施形態の遊技機１によれば、雌コネクタ９３が円筒部材１０４を有し、雌コネクタ９３が円筒部材１０４を介して表示ユニットＡに対して一定の可動領域内（隙間Ｓ１内）において可動可能に取付けられている。
【０１６６】
これにより、表示ユニットＡをキャビネットＧに装着し、雌コネクタ９３の開口部９６Ａに雄コネクタ９４の突出部１０３を挿入して、雌コネクタ９３を雄コネクタ９４に接続する際に、雄コネクタ９４を雌コネクタ９３に対して一定の可動領域内で可動させることで、雌コネクタ９３と雄コネクタ９４とを円滑に接続できる。
【０１６７】
このため、表示ユニットＡとキャビネットＧとの組み付け誤差等を吸収することができ、キャビネットＧに対する表示ユニットＡの組み付け作業の作業性を向上できる。
【０１６８】
さらに、本実施形態の遊技機１において、制御部を副制御基板ＳＳから構成し、表示部を表示ユニットＡから構成しているが、これに限定されるものではなく、制御部としては、遊技に関する制御を実行するものであれば、他の装置に適用でき、表示部としては、画像の表示を行うものであれば、他の装置に適用できる。また、表示部として、前面扉に液晶表示装置を配置し、制御部をキャビネットＧ側に配置した場合であれば、前面扉に第２の接続部材を配置し、キャビネットＧ（本体）に第１の接続部材を配置するようにしてもよい。
【０１６９】
また、本実施形態の遊技機１では、コネクタ９９が２つの光ファイバケーブルを保持して、光ファイバケーブルを２つ１組に纏めているが、コネクタ９９が３つ以上の光ファイバケーブルを１組に纏める構成であってもよい。この場合には、雌コネクタ９３及び雄コネクタ９４に、当該構成のコネクタ９９の大きさに応じた挿入口をコネクタの数に応じて形成すればよい。
【０１７０】
また、本実施形態においては、本発明に係る遊技機としてパチスロ機を例に説明したが、これに限定されず、本発明に係る遊技機は、パチンコ遊技機等、他の遊技機にも適用することができる。また、遊技機に限定されるものでもない。例えば、パチンコ遊技機に本発明を適用する場合であれば、パチンコ遊技機の本体枠と遊技盤面側との接続に適用してもよい。また、接続される機器は、制御部と表示部に限定されるものではなく、例えば、パチンコ遊技機であれば、本体枠に配置される払出制御基板と遊技盤面側に配置される主制御基板の接続に適用してもよい。
【０１７１】
＜発明の要旨＞
特許文献（特開２０１３−３４６４２号公報）に記載の遊技機にあっては、複数の制御デバイスをそれぞれ独立した導電性ケーブルと光ファイバケーブルとによって接続しているので、遊技機の内部で配線の引き回しが煩雑化してしまい、導電性ケーブル及び光ファイバケーブルの配線作業の作業性が悪化してしまう。このため、導電性ケーブル及び光ファイバケーブルの配線作業の工数が増大してしまい、遊技機の生産性が低下する。
【０１７２】
さらに、複数の制御デバイスに接続される導電性ケーブルと光ファイバケーブルとを別々に管理する必要があり、導電性ケーブル及び光ファイバケーブルの管理コストが増大してしまう。
【０１７３】
本発明に係る遊技機は、遊技に関する制御を実行する制御部（副制御基板ＳＳ，スケーラ基板ＳＫ）と、画像の表示を行う表示部（表示ユニットＡ）と、一端部が前記制御部に接続され、他端部が第１の接続部材（雌コネクタ９３）に接続される複数の導電性ケーブル（８５Ａ，８５Ｂ，８６Ａ，８６Ｂ）及び光ファイバケーブル（８１〜８４）と、一端部が前記表示部に接続され、他端部が第２の接続部材（雄コネクタ９４）に接続される複数の導電性ケーブル（９１Ａ，９１Ｂ，９２Ａ，９２Ｂ）及び光ファイバケーブル（８７〜９０）とを備え、前記導電性ケーブルによって前記制御部と前記表示部とが電気的に接続され、前記光ファイバケーブルによって前記制御部と前記表示部とが光学的に接続される遊技機において、前記光ファイバケーブルが、前記第１の接続部材及び前記第２の接続部材の幅方向内方に接続され、前記導電性ケーブルが、前記光ファイバケーブルに対して幅方向外方に位置するようにして前記第１の接続部材及び前記第２の接続部材に接続される。
【０１７４】
この構成により、本発明に係る遊技機は、導電性ケーブルと電磁波の影響を受けない光ファイバケーブルとを纏めて第１の接続部材及び第２の接続部材に接続することで、導電性ケーブル及び光ファイバケーブルの引き回しを簡素化して、導電性ケーブル及び光ファイバケーブルの配線作業の作業性を向上できる。この結果、遊技機の生産性を向上できる。
【０１７５】
また、性質の異なる導電性ケーブルと光ファイバケーブルとを纏めることで、導電性ケーブル及び光ファイバケーブルの取り扱いを容易にすることができ、導電性ケーブルと光ファイバケーブルとによって制御部と表示部とを接続する際に、人為的な接続不良が発生することを抑制することができる。
【０１７６】
また、導電性ケーブルと光ファイバケーブルとを纏めることで、導電性ケーブル及び光ファイバケーブルの管理を容易にして、導電性ケーブル及び光ファイバケーブルの管理コストを低減することができる。
【０１７７】
さらに、光ファイバケーブルを第１の接続部材及び第２の接続部材の幅方向内方に接続し、導電性ケーブルを前記光ファイバケーブルに対して幅方向外方に位置するようにして第１の接続部材及び前記第２の接続部材に接続することで、導電性ケーブルを、光ファイバケーブルを挟んで離れた位置に設置できる。これにより、離れた位置にある導電性ケーブル同士の電気的な干渉を抑えることができ、離れた位置にある導電性ケーブル同士がノイズの影響を受けることを抑制できる。
【０１７８】
特許文献（特開２０１３−３４６４２号公報）に記載の遊技機にあっては、複数の制御デバイスをそれぞれ独立した導電性ケーブルと光ファイバケーブルとによって接続しているので、遊技機の内部で配線の引き回しが煩雑化してしまい、導電性ケーブル及び光ファイバケーブルの配線作業の作業性が悪化してしまう。このため、導電性ケーブル及び光ファイバケーブルの配線作業の工数が増大してしまい、遊技機の生産性が低下する。
【０１７９】
さらに、複数の制御デバイスに接続される導電性ケーブルと光ファイバケーブルとを別々に管理する必要があり、導電性ケーブル及び光ファイバケーブルの管理コストが増大してしまう。
【０１８０】
本発明に係る遊技機は、遊技に関する制御を実行する制御部（副制御基板ＳＳ，スケーラ基板ＳＫ）と、画像の表示を行う表示部（表示ユニットＡ）と、一端部が前記制御部に接続され、他端部が第１の接続部材（雌コネクタ９３）に接続される複数の導電性ケーブル（８５Ａ，８５Ｂ，８６Ａ，８６Ｂ）及び光ファイバケーブル（８１〜８４）と、一端部が前記表示部に接続され、他端部が第２の接続部材（雄コネクタ９４）に接続される複数の導電性ケーブル（９１Ａ，９１Ｂ，９２Ａ，９２Ｂ）及び光ファイバケーブル（８７〜９０）とを備え、前記導電性ケーブルによって前記制御部と前記表示部とが電気的に接続され、前記光ファイバケーブルによって前記制御部と前記表示部とが光学的に接続される遊技機において、前記複数の光ファイバケーブルのうち、少なくとも２つの光ファイバが接続される第３の接続部材（コネクタ９９）を有し、前記第３の接続部材が前記第１の接続部材及び前記第２の接続部材に接続される。
【０１８１】
この構成により、本発明に係る遊技機は、導電性ケーブルと電磁波の影響を受けない光ファイバケーブルとを纏めて第１の接続部材及び第２の接続部材に接続することで、導電性ケーブル及び光ファイバケーブルの引き回しを簡素化して、導電性ケーブル及び光ファイバケーブルの配線作業の作業性を向上できる。この結果、遊技機の生産性を向上できる。
【０１８２】
また、性質の異なる導電性ケーブルと光ファイバケーブルとを纏めることで、導電性ケーブル及び光ファイバケーブルの取り扱いを容易にすることができ、導電性ケーブルと光ファイバケーブルとによって制御部と表示部とを接続する際に、人為的な接続不良が発生することを抑制することができる。
【０１８３】
また、導電性ケーブルと光ファイバケーブルとを纏めることで、導電性ケーブル及び光ファイバケーブルの管理を容易にして、導電性ケーブル及び光ファイバケーブルの管理コストを低減することができる。
【０１８４】
さらに、複数の光ファイバケーブルのうち、少なくとも２つの光ファイバが接続される複数の第３の接続部材を有し、第３の接続部材が第１の接続部材及び第２の接続部材に接続される。これにより、複数の光ファイバケーブルを第３の接続部材で纏めて第１の接続部材及び第２の接続部材に接続できるので、光ファイバケーブルの取り扱いを容易に行うことができ、光ファイバケーブルの管理コストをより効果的に低減できる。これに加えて、第１の接続部材及び第２の接続部材に対する光ファイバケーブルの接続作業の作業性を向上できる。
【０１８５】
特許文献（特開２０１３−３４６４２号公報）に記載の遊技機にあっては、複数の制御デバイスをそれぞれ独立した導電性ケーブルと光ファイバケーブルとによって接続しているので、遊技機の内部で配線の引き回しが煩雑化してしまい、導電性ケーブル及び光ファイバケーブルの配線作業の作業性が悪化してしまう。このため、導電性ケーブル及び光ファイバケーブルの配線作業の工数が増大してしまい、遊技機の生産性が低下する。
【０１８６】
さらに、複数の制御デバイスに接続される導電性ケーブルと光ファイバケーブルとを別々に管理する必要があり、導電性ケーブル及び光ファイバケーブルの管理コストが増大してしまう。
【０１８７】
本発明に係る遊技機は、遊技に関する制御を実行する制御部（副制御基板ＳＳ，スケーラ基板ＳＫ）と、画像の表示を行う表示部（表示ユニットＡ）と、一端部が前記制御部に接続され、他端部が第１の接続部材（雌コネクタ９３）に接続される複数の導電性ケーブル（８５Ａ，８５Ｂ，８６Ａ，８６Ｂ）及び光ファイバケーブル（８１〜８４）と、一端部が前記表示部に接続され、他端部が第２の接続部材（雄コネクタ９４）に接続される複数の導電性ケーブル（９１Ａ，９１Ｂ，９２Ａ，９２Ｂ）及び光ファイバケーブル（８７〜９０）とを備え、前記導電性ケーブルによって前記制御部と前記表示部とが電気的に接続され、前記光ファイバケーブルによって前記制御部と前記表示部とが光学的に接続される遊技機において、前記複数の光ファイバケーブルのうち、少なくとも２つの光ファイバが接続される第３の接続部材（コネクタ９９）を有し、前記第１の接続部材及び前記第２の接続部材は、前記第３の接続部材が挿入される挿入口（９７Ａ，９７Ｂ，１０２Ａ，１０２Ｂ）を有し、前記挿入口の開口端に、前記第３の接続部材を前記挿入口から抜け止め係止する係止部（係止爪１０１，１０５）が設けられる。
【０１８８】
この構成により、本発明に係る遊技機は、導電性ケーブルと電磁波の影響を受けない光ファイバケーブルとを纏めて第１の接続部材及び第２の接続部材に接続することで、導電性ケーブル及び光ファイバケーブルの引き回しを簡素化して、導電性ケーブル及び光ファイバケーブルの配線作業の作業性を向上できる。この結果、遊技機の生産性を向上できる。
【０１８９】
また、性質の異なる導電性ケーブルと光ファイバケーブルとを纏めることで、導電性ケーブル及び光ファイバケーブルの取り扱いを容易にすることができ、導電性ケーブルと光ファイバケーブルとによって制御部と表示部とを接続する際に、人為的な接続不良が発生することを抑制することができる。
【０１９０】
また、導電性ケーブルと光ファイバケーブルとを纏めることで、導電性ケーブル及び光ファイバケーブルの管理を容易にして、導電性ケーブル及び光ファイバケーブルの管理コストを低減することができる。
【０１９１】
さらに、複数の光ファイバケーブルのうち、少なくとも２つの光ファイバが接続される第３の接続部材を有し、第３の接続部材が第１の接続部材及び第２の接続部材に形成された挿入口に挿入されることで、第１の接続部材及び第２の接続部材に接続される。
【０１９２】
これにより、複数の光ファイバケーブルを第３の接続部材で纏めて第１の接続部材及び第２の接続部材に接続できるので、光ファイバケーブルの取り扱いを容易に行うことができ、光ファイバケーブルの管理コストをより効果的に低減できる。これに加えて、第１の接続部材及び第２の接続部材に対する光ファイバケーブルの接続作業の作業性を向上できる。
【０１９３】
また、挿入口の開口端に、第３の接続部材を挿入口から抜け止め係止する係止部が設けられるので、第３の接続部材が第１の接続部材及び第２の接続部材から脱落することを防止できる。
【０１９４】
さらに、挿入口に第３の接続部材を挿入することで、第３の接続部材に外部からアクセスされることを防止でき、光ファイバケーブルが第１の接続部材及び第２の接続部材から故意に取り外されてしまうことを防止でき、ゴト行為等を抑制することができる。
【０１９５】
特許文献（特開２０１３−３４６４２号公報）に記載の遊技機にあっては、複数の制御デバイスをそれぞれ独立した導電性ケーブルと光ファイバケーブルとによって接続しているので、遊技機の内部で配線の引き回しが煩雑化してしまい、導電性ケーブル及び光ファイバケーブルの配線作業の作業性が悪化してしまう。このため、導電性ケーブル及び光ファイバケーブルの配線作業の工数が増大してしまい、遊技機の生産性が低下する。
【０１９６】
さらに、複数の制御デバイスに接続される導電性ケーブルと光ファイバケーブルとを別々に管理する必要があり、導電性ケーブル及び光ファイバケーブルの管理コストが増大してしまう。
【０１９７】
また、光ファイバケーブルは、導電性ケーブルと比較して電磁波ノイズに強い反面、外来光や、異物との接触及び外部からの圧力等の物理的な障害に弱いという課題がある。このため、光ファイバケーブルに対するゴト行為を未然に防ぐ必要がある。
【０１９８】
本発明に係る遊技機は、遊技に関する制御を実行する制御部（副制御基板ＳＳ，スケーラ基板ＳＫ）と、画像の表示を行う表示部（表示ユニットＡ）と、一端部が前記制御部に接続され、他端部が第１の接続部材（雌コネクタ９３）に接続される複数の導電性ケーブル（８５Ａ，８５Ｂ，８６Ａ，８６Ｂ）及び光ファイバケーブル（８１〜８４）と、一端部が前記表示部に接続され、他端部が第２の接続部材（雄コネクタ９４）に接続される複数の導電性ケーブル（９１Ａ，９１Ｂ，９２Ａ，９２Ｂ）及び光ファイバケーブル（８７〜９０）とを備え、前記導電性ケーブルによって前記制御部と前記表示部とが電気的に接続され、前記光ファイバケーブルによって前記制御部と前記表示部とが光学的に接続される遊技機において、前記複数の光ファイバケーブルのうち、少なくとも２つの光ファイバケーブルの先端部が突出するように前記光ファイバケーブルを保持する複数の第３の接続部材（コネクタ９９）を有し、前記第２の接続部材に対向する前記第１の接続部材の対向面に第１の保持部（隔壁９６Ｂ）が設けられるとともに、前記第１の接続部材に対向する前記第２の接続部材の対向面に第２の保持部（突出部１０３）が設けられ、前記第１の保持部は、前記光ファイバケーブルの先端部が突出するように前記第３の接続部材を保持し、前記第２の保持部は、前記第１の保持部から突出する光ファイバケーブルの先端部が挿通される挿通穴（１０３Ｃ）を有し、前記光ファイバケーブルの先端部が前記挿通穴に対向するように前記第３の接続部材を保持する。
【０１９９】
この構成により、本発明に係る遊技機は、導電性ケーブルと電磁波の影響を受けない光ファイバケーブルとを纏めて第１の接続部材及び第２の接続部材に接続することで、導電性ケーブル及び光ファイバケーブルの引き回しを簡素化して、導電性ケーブル及び光ファイバケーブルの配線作業の作業性を向上できる。この結果、遊技機の生産性を向上できる。
【０２００】
また、性質の異なる導電性ケーブルと光ファイバケーブルとを纏めることで、導電性ケーブル及び光ファイバケーブルの取り扱いを容易にすることができ、導電性ケーブルと光ファイバケーブルとによって制御部と表示部とを接続する際に、人為的な接続不良が発生することを抑制することができる。
【０２０１】
また、導電性ケーブルと光ファイバケーブルとを纏めることで、導電性ケーブル及び光ファイバケーブルの管理を容易にして、導電性ケーブル及び光ファイバケーブルの管理コストを低減することができる。
【０２０２】
さらに、第１の接続部材の第１の保持部によって光ファイバケーブルの先端部が突出するように第３の接続部材が保持され、第２の接続部材の第２の保持部が、第１の保持部から突出する光ファイバケーブルの先端部が挿通される挿通穴を有し、光ファイバケーブルの先端部が挿通穴に対向するように第２の保持部に第３の接続部材が保持される。
【０２０３】
これにより、第１の保持部及び第２の保持部によって光ファイバケーブルの先端部を覆うことができ、光ファイバケーブルの先端部から光が漏れることや、光ファイバケーブルの先端部から外来光が入射されることを防止できる。これに加えて、光ファイバケーブルの先端部に工具等の異物が接触することや外部の圧力が加わることを抑制して、光ファイバケーブルの先端部の接触面を阻害するゴト行為等が発生することを防止できる。
【０２０４】
また、本発明の遊技機において、前記第１の接続部材は、開口部（９６Ａ）を有する雌コネクタから構成され、前記開口部の内部に前記第１の保持部が設けられ、前記第２の接続部材は、前記開口部に挿入される凸部（突出部１０３）を有する雄コネクタから構成され、前記第２の保持部を前記凸部から構成してもよい。
【０２０５】
この構成により、第１の保持部及び第２の保持部によって光ファイバケーブルを覆うことに加えて、雌コネクタの開口部に雄コネクタの凸部を挿入することで開口部によって光ファイバケーブルの先端部を覆うことができる。これにより、光ファイバケーブルの先端部を第１の保持部及び第２の保持部と開口部とによって二重に覆うことでき、光ファイバケーブルの先端部から光が漏れることや、光ファイバケーブルの先端部から外来光が入射されることをより効果的に防止できる。
【０２０６】
これに加えて、光ファイバケーブルの先端部に工具等の異物が接触することや外部の圧力が加わることをより効果的に抑制して、光ファイバケーブルの先端部の接触面を阻害するゴト行為等が発生することをより効果的に防止できる。
【０２０７】
特許文献（特開２０１３−３４６４２号公報）に記載の遊技機にあっては、複数の制御デバイスをそれぞれ独立した導電性ケーブルと光ファイバケーブルとによって接続しているので、遊技機の内部で配線の引き回しが煩雑化してしまい、導電性ケーブル及び光ファイバケーブルの配線作業の作業性が悪化してしまう。このため、導電性ケーブル及び光ファイバケーブルの配線作業の工数が増大してしまい、遊技機の生産性が低下する。
【０２０８】
さらに、複数の制御デバイスに接続される導電性ケーブルと光ファイバケーブルとを別々に管理する必要があり、導電性ケーブル及び光ファイバケーブルの管理コストが増大してしまう。
【０２０９】
本発明に係る遊技機は、遊技に関する制御を実行する制御部（副制御基板ＳＳ，スケーラ基板ＳＫ）と、画像の表示を行う表示部（表示ユニットＡ）と、一端部が前記制御部に接続され、他端部が第１の接続部材（雌コネクタ９３）に接続される複数の導電性ケーブル（８５Ａ，８５Ｂ，８６Ａ，８６Ｂ）及び光ファイバケーブル（８１〜８４）と、一端部が前記表示部に接続され、他端部が第２の接続部材（雄コネクタ９４）に接続される複数の導電性ケーブル（９１Ａ，９１Ｂ，９２Ａ，９２Ｂ）及び光ファイバケーブル（８７〜９０）とを備え、前記導電性ケーブルによって前記制御部と前記表示部とが電気的に接続され、前記光ファイバケーブルによって前記制御部と前記表示部とが光学的に接続される遊技機において、前記複数の光ファイバケーブルのうち、少なくとも２つの光ファイバケーブルの先端部が突出するように前記光ファイバケーブルを保持する複数の第３の接続部材（コネクタ９９）を有し、前記第２の接続部材に対向する前記第１の接続部材の対向面に第１の保持部（隔壁９６Ｂ）が設けられるとともに、前記第１の接続部材に対向する前記第２の接続部材の対向面に第２の保持部（突出部１０３）が設けられ、前記第１の保持部は、前記光ファイバケーブルの先端部が突出するように前記第３の接続部材を保持し、前記第２の保持部は、前記第１の保持部から突出する光ファイバケーブルの先端部が挿通される挿通穴（１０３Ｃ）を有し、前記光ファイバケーブルの先端部が前記挿通穴に対向するように前記第３の接続部材を保持し、前記第１の接続部材に、前記第１の接続部材と前記第２の接続部材との接続方向に沿って延在する第１の嵌合部（ガイド突起１０６）が形成され、前記第２の接続部材に、前記第１の接続部材と前記第２の接続部材との接続方向に沿って延在し、第１の嵌合部に嵌合される第２の嵌合部（ガイド溝１０７）が形成される。
【０２１０】
この構成により、本発明に係る遊技機は、導電性ケーブルと電磁波の影響を受けない光ファイバケーブルとを纏めて第１の接続部材及び第２の接続部材に接続することで、配線の引き回しを簡素化して、配線の配線作業の作業性を向上できる。この結果、遊技機の生産性を向上できる。
【０２１１】
また、性質の異なる導電性ケーブルと光ファイバケーブルとを纏めることで、導電性ケーブルと光ファイバケーブルの取り扱いを容易にすることができ、導電性ケーブルと光ファイバケーブルとによって制御部と表示部とを接続する際に、人為的な接続不良が発生することを抑制することができる。
【０２１２】
また、導電性ケーブルと光ファイバケーブルとを纏めることで、導電性ケーブルと光ファイバケーブルとの管理を容易にして、導電性ケーブルと光ファイバケーブルとの管理コストを低減することができる。
【０２１３】
また、第１の接続部材の第１の保持部によって光ファイバケーブルの先端部が突出するように第３の接続部材が保持され、第２の接続部材の第２の保持部が、第１の保持部から突出する光ファイバケーブルの先端部が挿通される挿通穴を有し、第２の保持部によって光ファイバケーブルの先端部が挿通穴に対向するように第３の接続部材が保持される。
【０２１４】
これにより、第１の保持部及び第２の保持部によって光ファイバケーブルの先端部を覆うことができ、光ファイバケーブルの先端部から光が漏れることや、光ファイバケーブルの先端部から外来光が入射されることを防止できる。これに加えて、光ファイバケーブルの先端部に工具等の異物が接触することや外部の圧力が加わることを抑制して、光ファイバケーブルの先端部の接触面を阻害するゴト行為が発生することを防止できる。
【０２１５】
さらに、第１の接続部材に、第１の接続部材と第２の接続部材との接続方向に沿って延在する第１の嵌合部が形成され、第２の接続部材に、第１の接続部材と第２の接続部材との接続方向に沿って延在し、第１の嵌合部に嵌合される第２の嵌合部が形成されている。これにより、第１の嵌合部に沿って第２の嵌合部を摺動させながら開口部に凸部を挿入することで、第１の保持部に保持された光ファイバケーブルの先端部を第２の保持部の挿入穴に位置決めしながら第１の接続部材と第２の接続部材とを接続することができる。この結果、第１の接続部材と第２の接続部材とを円滑に接続することができる。
【０２１６】
また、本発明の遊技機において、前記第１の接続部材は、開口部（９６Ａ）を有し、前記開口部の内部に前記第１の保持部が設けられた雌コネクタから構成され、前記第２の接続部材は、前記開口部に挿入される凸部（突出部１０３）を有し、前記第２の保持部が前記凸部からなる雄コネクタから構成され、前記開口部の内周側面に前記第１の嵌合部が形成され、前記凸部の外周側面に前記第２の嵌合部が形成されてもよい。
【０２１７】
この構成により、第１の保持部及び第２の保持部によって光ファイバケーブルを覆うことに加えて、雌コネクタの開口部に雄コネクタの凸部を挿入することで開口部によって光ファイバケーブルの先端部を覆うことができる。これにより、光ファイバケーブルの先端部を第１の保持部及び第２の保持部と開口部とによって二重に覆うことでき、光ファイバケーブルの先端部から光が漏れることや、光ファイバケーブルの先端部から外来光が入射されることをより効果的に防止できる。
【０２１８】
これに加えて、光ファイバケーブルの先端部に工具等の異物が接触することや外部の圧力が加わることをより効果的に抑制して、光ファイバケーブルの先端部の接触面を阻害するゴト行為等が発生することをより効果的に防止できる。
【０２１９】
さらに、雌コネクタの開口部の内周側面に第１の嵌合部を形成し、雄コネクタの凸部の外周側面に第２の嵌合部を形成したので、第１の嵌合部に沿って第２の嵌合部を摺動させながら開口部に凸部を挿入することで、第１の保持部に保持された光ファイバケーブルの先端部を第２の保持部の挿入穴に位置決めしながら第１の接続部材と第２の接続部材とを接続することができる。この結果、第１の接続部材と第２の接続部材とをより一層、円滑に接続することができる。
【０２２０】
また、本発明の遊技機において、前記遊技機は、少なくとも前面側に開口部（Ｇ５）を有する本体（キャビネットＧ）を備え、前記表示部が、前記開口部を通して前記本体に着脱可能に設けられ、前記本体に前記第１の接続部材が設けられ、前記表示部に前記第２の接続部材が設けられてもよい。
【０２２１】
この構成により、本発明に係る遊技機は、表示部を本体に装着したときに、複数の光ファイバケーブル及び導電性ケーブルが纏められた第１の接続部材に複数の光ファイバケーブル及び導電性ケーブルが纏められた第２の接続部材を接続することができる。
【０２２２】
これにより、第１の接続部材及び第２の接続部材を介して複数の光ファイバケーブルと導電性ケーブルとを容易に接続することができ、配線の引き回しをより効果的に簡素化して、配線の配線作業の作業性をより効果的に向上できる。
【０２２３】
また、本発明の遊技機において、前記第１の接続部材及び前記第２の接続部材の少なくとも一方は、前記本体又は前記表示部に対して一定の可動領域内において可動可能に取付けられてもよい。
【０２２４】
この構成により、本発明に係る遊技機は、表示部を本体に装着して第１の接続部材と第２の接続部材とを接続する際に、例えば、第２の接続部材に対して第１の接続部材を一定の可動領域内で可動させることで、第１の接続部材と第２の接続部材とを円滑に接続できる。
【０２２５】
これにより、表示部と本体との組み付け誤差等を吸収することができ、本体に対する表示部の組み付け作業の作業性を向上できる。
【符号の説明】
【０２２６】
１...遊技機
８１〜８４，８７〜９０...光ファイバケーブル
８５Ａ，８５Ｂ，８６Ａ，８６Ｂ，９１Ａ，９１Ｂ，９２Ａ，９２Ｂ...導電性ケーブル
９３...雌コネクタ（第１の接続部材）
９４...雄コネクタ（第２の接続部材）
９６Ｂ...隔壁（第１の保持部）
９６Ａ...開口部（雌コネクタの開口部）
９７Ａ，９７Ｂ，１０２Ａ，１０２Ｂ...挿入口
９９...コネクタ（第３の接続部材）
１０１，１０５...係止爪（係止部）
１０３...突出部（第２の保持部，凸部）
１０３Ｃ...挿通穴
１０６...ガイド突起（第１の嵌合部）
１０７...ガイド溝（第２の嵌合部）
ＳＳ...副制御基板（制御部）
ＳＫ...スケーラ基板（制御部）
Ａ...表示ユニット（表示部）
Ｇ...キャビネット（本体）
Ｇ５...開口部（本体の開口部）
【図１】
2019072539.tif 000003
【図２】
2019072539.tif 000004
【図３】
2019072539.tif 000005
【図４】
2019072539.tif 000006
【図５】
2019072539.tif 000007
【図６】
2019072539.tif 000008
【図７】
2019072539.tif 000009
【図８】
2019072539.tif 000010
【図９】
2019072539.tif 000011
【図１０】
2019072539.tif 000012
【図１１】
2019072539.tif 000013
【図１２】
2019072539.tif 000014
【図１３】
2019072539.tif 000015
【図１４】
2019072539.tif 000016
【図１５】
2019072539.tif 000017
【図１６】
2019072539.tif 000018
【図１７】
2019072539.tif 000019
【図１８】
2019072539.tif 000020
【図１９】
2019072539.tif 000021
【図２０】
2019072539.tif 000022
【図２１】
2019072539.tif 000023
【図２２】
2019072539.tif 000024
【図２３】
2019072539.tif 000025
【図２４】
2019072539.tif 000026
【図２５】
2019072539.tif 000027
【図２６】
2019072539.tif 000028
【図２７】
2019072539.tif 000029
【図２８】
2019072539.tif 000030
【図２９】
2019072539.tif 000031
【図３０】
2019072539.tif 000032
【図３１】
2019072539.tif 000033
【図３２】
2019072539.tif 000034